(57)【特許請求の範囲】
【請求項１】
基地局が端末に配置したダウンリンクコンポーネントキャリアまたはセル(Cell)数、それぞれのダウンリンクコンポーネントキャリアの伝送モードのうち少なくとも一つを含む予定条件に基づいて端末がフィードバックする肯定/否定ACK/NACK応答メッセージのビット数Lを確定するステップと；
前記端末が前記ACK/NACK応答メッセージを前記L個ビットにマッピングするステップと、を含み、
前記端末が、配置されたダウンリンクコンポーネントキャリアまたはセルの相応するコードワードストリームで物理ダウンリンク共有チャネルを検出しなかった時、相応する肯定/否定応答メッセージは否定応答メッセージNACKに設置され、
前記L個ビットはチャネルコーディング、スクランブリング、変調、事前変換DFT、タイムスプレッドを経た後、DFT-s-OFDMの方式を利用して物理アップリンク制御チャネルPUCCHで送信される；または、
前記L個ビットはチャネルコーディング、チャネルインターリービングを経た後、データとマルチプレクシングして物理アップリンク共有チャネルPUSCHで送信される
ことを特徴とする肯定/否定応答メッセージのマッピング方法。
【請求項２】
周波数分割デュプレクスシステムにおいて、前記端末は前記基地局が彼に配置したダウンリンクコンポーネントキャリアまたはセル数、及び配置されたそれぞれのダウンリンクコンポーネントキャリアの伝送モードに基づいてフィードバックする肯定/否定応答メッセージのビット数Lを確定し；
前記端末は先ずコードワードストリーム、後でダウンリンクコンポーネントキャリアまたはセルの順序、または、先ずダウンリンクコンポーネントキャリアまたはセル、後でコードワードストリームの順序に基づいて相応する肯定/否定応答メッセージをLビットにマッピングすることを特徴とする請求項１に記載の方法。
【請求項３】
前記ビット数L
0005873873.tif 000022
、
0005873873.tif 000023
、ここで、前記Mは前記基地局が前記端末に配置したダウンリンクコンポーネントキャリアまたはセル数であり、前記xiは前記端末に配置した各ダウンリンクコンポーネントキャリアまたはセルの伝送モードがフィードバックする肯定/否定応答メッセージのビット数であり、ダウンリンクコンポーネントキャリアの伝送モードが一つのコードワードストリームだけ含む時、xiは1であり、ダウンリンクコンポーネントキャリアの伝送モードが二つのコードワードストリームを含む時、xiは2であることを特徴とする請求項１に記載の方法。
【請求項４】
時分割デュプレクスシステムにおいて、前記端末は前記基地局が彼に配置したダウンリンクコンポーネントキャリアまたはセル数、配置されたアップ/ダウンリンクサブフレーム比例関係と、配置されたそれぞれのダウンリンクコンポーネントキャリアの伝送モードに基づいてフィードバックする肯定/否定応答メッセージの前記ビット数Lを確定し、
前記端末は先ずコードワードストリーム、後でダウンリンクコンポーネントキャリアまたはセル、その後サブフレームの順序、または先ずコードワードストリーム、後でサブフレーム、その後コンポーネントキャリア(またはセル)の順序に基づいて、相応する肯定/否定応答メッセージをLビットにマッピングすることを特徴とする請求項１に記載の方法。
【請求項５】
時分割デュプレクスシステムにおいて、前記基地局が前記端末はコードワードストリーム間の肯定/否定応答メッセージの論理ANDを行う必要があると配置した状況で、前記端末は前記基地局が前記端末に配置したダウンリンクコンポーネントキャリアまたはセル数と、配置されたアップ/ダウンリンクサブフレーム比例関係に基づいてフィードバックする肯定/否定応答メッセージの前記ビット数Lを確定し、
前記端末は先ずダウンリンクコンポーネントキャリアまたはセル、後でサブフレームの順序、または先ずサブフレーム  後でダウンリンクコンポーネントキャリアまたはセルの順序に基づいて、相応する肯定/否定応答メッセージを前記L個ビットにマッピングすることを特徴とする請求項１に記載の方法。
【請求項６】
時分割デュプレクスシステムにおいて、前記基地局が前記端末はコードワードストリーム間の肯定/否定応答メッセージの論理ANDを行う必要があると配置した状況で、前記端末は前記基地局が前記端末に配置したダウンリンクコンポーネントキャリアまたはセル数と、配置されたアップ/ダウンリンクサブフレーム比例関係に基づいてフィードバックする肯定/否定応答メッセージの前記ビット数Lを確定し、
前記基地局ダウンリンク制御情報DCIのダウンリンクアサインメントインデックスDAIは先ずコンポーネントキャリア、後でサブフレームの順序に基づいて物理ダウンリンク制御チャネルPDCCHの数量を累計することを表示する時、前記端末は前記DAIに基づいて相応する肯定/否定応答メッセージを前記DAIの対応するビット位置にマッピングすることを特徴とする請求項１に記載の方法。
【請求項７】
サブフレームに基づいてマッピングを行う時、サブフレームの前後順序に基づいてマッピングすることを特徴とする請求項4又は請求項5に記載の方法。
【請求項８】
前記基地局は、ハイレベルシグナルによって前記端末がコードワードストリーム間の肯定/否定応答メッセージの論理ANDを行う必要があるかどうかを配置することを特徴とする請求項５又は請求項６に記載の方法。
【請求項９】
コードワードストリーム間の肯定/否定応答メッセージの論理ANDが有効でない状況で、前記ビット数Lは 
0005873873.tif 000024
，
0005873873.tif 000025
であり、コードワードストリーム間の肯定/否定応答メッセージの論理ANDが有効である状況で、前記ビット数Lは
0005873873.tif 000026
であり、ここでMは前記基地局が前記端末に配置したダウンリンクコンポーネントキャリアまたはセル数であり、Nはアップリンクサブフレームがフィードバックするダウンリンクサブフレームの肯定/否定応答メッセージの数量であり、xiは前記端末に配置した各ダウンリンクコンポーネントキャリアまたはセルがフィードバックする肯定/否定応答メッセージのビット数であり、ダウンリンクコンポーネントキャリアの伝送モードが一つのコードワードストリームだけ含む時、xiは1であり、ダウンリンクコンポーネントキャリアの伝送モードが二つのコードワードストリームを含む時、xiは2であることを特徴とする請求項４乃至６の中のいずれかに記載の方法。
【請求項１０】
ダウンリンクコンポーネントキャリアまたはセルに基づいてマッピングを行う時、先ず主ダウンリンクコンポーネントキャリアまたはセルをマッピングし、後でサブダウンリンクコンポーネントキャリアまたはセルをマッピングし；または、ダウンリンクコンポーネントキャリアまたはセルのインデックスに基づいてマッピングを行うことを特徴とする請求項2、4、5の中のいずれかに記載の方法。
【請求項１１】
肯定応答メッセージACKは二進法の“1”に対応し、否定応答メッセージNACKは二進法の“0”に対応することを特徴とする請求項１、2、4、5、６の中のいずれかに記載の方法。
【請求項１２】
ダウンリンクコンポーネントキャリアまたはセルの主/サブ、ダウンリンクコンポーネントキャリアまたはセルのコードワードストリームの順序、ダウンリンクコンポーネントキャリアまたはセルの含むコードワードストリームの数量のうち少なくとも一つに基づいて、端末がコードワードストリームと対応するACK/NACK応答メッセージをチャネル選択マッピングテーブルにマッピングするステップと；
前記端末が物理アップリンク制御チャネルフォーマットPUCCH format 1bでチャネル選択を利用してACK/NACK応答メッセージを送信するステップと、を含み、
前記端末は基地局が彼に配置したダウンリンクコンポーネントキャリアまたはセルの数量及び配置されたそれぞれのダウンリンクコンポーネントキャリアの伝送モードに基づいてACK/NACK応答メッセージを前記チャネル選択マッピングテーブルにマッピングする
ことを特徴とする肯定/否定応答メッセージのマッピング方法。
【請求項１３】
前記端末はダウンリンクコンポーネントキャリアまたはセルの主/サブと、ダウンリンクコンポーネントキャリアまたはセルのコードワードストリームの順序、またはダウンリンクコンポーネントキャリアまたはセルの含むコードワードストリームの数量に基づいてACK/NACK応答メッセージを前記チャネル選択マッピングテーブルにマッピングすることを特徴とする請求項12に記載の方法。
【請求項１４】
前記端末は先ず主ダウンリンクコンポーネントキャリアまたはセル、後でサブダウンリンクコンポーネントキャリアまたはセルの順序、またはダウンリンクコンポーネントキャリアまたはセルの含むコードワードストリームの数量の多くから少なくの順序に基づいてACK/NACK応答メッセージを前記チャネル選択マッピングテーブルにマッピングすることを特徴とする請求項13に記載の方法。
【請求項１５】
M=2であるチャネル選択マッピングテーブルの場合、
周波数分割デュプレクスシステムにおいて、主ダウンリンクコンポーネントキャリアまたはセルの一つ目のコードワードストリームの肯定/否定応答メッセージは一つ目のHARQ-ACKにマッピングされ、サブダウンリンクコンポーネントキャリアまたはセルの一つ目のコードワードストリームの肯定/否定応答メッセージは二つ目のHARQ-ACKにマッピングされ、
時分割デュプレクス システムにおいて、主ダウンリンクコンポーネントキャリアまたはセルの一つ目のコードワードストリームの肯定/否定応答メッセージ、または一つ二つ目のコードワードストリームの肯定/否定応答メッセージを論理AND演算した後の結果は一つ目のHARQ-ACKにマッピングされ、サブダウンリンクコンポーネントキャリアまたはセルの一つ目のコードワードストリームの肯定/否定応答メッセージまたは一つ二つ目のコードワードストリームの肯定/否定応答メッセージを論理AND演算した後の結果は二つ目のHARQ-ACKにマッピングされることを特徴とする請求項13に記載の方法。
【請求項１６】
M=3であるチャネル選択マッピングテーブルの場合、
周波数分割デュプレクス システムにおいて、前記端末は、
主ダウンリンクコンポーネントキャリアまたはセルの一つ目のコードワードストリームの肯定/否定応答メッセージは一つ目のHARQ-ACKにマッピングされ、一つ目のサブダウンリンクコンポーネントキャリアまたはセルの一つ目のコードワードストリームの肯定/否定応答メッセージは二つ目のHARQ-ACKにマッピングされ、二つ目のサブダウンリンクコンポーネントキャリアまたはセルの一つ目のコードワードストリームの肯定/否定応答メッセージは三つ目のHARQ-ACKにマッピングされ、
主ダウンリンクコンポーネントキャリアまたはセルの一つ目のコードワードストリームの肯定/否定応答メッセージは一つ目のHARQ-ACKにマッピングされ、主ダウンリンクコンポーネントキャリアまたはセルの二つ目のコードワードストリームの肯定/否定応答メッセージは二つ目のHARQ-ACKにマッピングされ、サブダウンリンクコンポーネントキャリアまたはセルの一つ目のコードワードストリームの肯定/否定応答メッセージは三つ目のHARQ-ACKにマッピングされ、
主ダウンリンクコンポーネントキャリアまたはセルの一つ目のコードワードストリームの肯定/否定応答メッセージは一つ目のHARQ-ACKにマッピングされ、サブダウンリンクコンポーネントキャリアまたはセルの一つ目のコードワードストリームの肯定/否定応答メッセージは二つ目のHARQ-ACKにマッピングされ、主ダウンリンクコンポーネントキャリアまたはセルの二つ目のコードワードストリームの肯定/否定応答メッセージは三つ目のHARQ-ACKにマッピングされ、
主ダウンリンクコンポーネントキャリアまたはセルの一つ目のコードワードストリームの肯定/否定応答メッセージは一つ目のHARQ-ACKにマッピングされ、サブダウンリンクコンポーネントキャリアまたはセルの一つ目のコードワードストリームの肯定/否定応答メッセージは二つ目のHARQ-ACKにマッピングされ、サブダウンリンクコンポーネントキャリアまたはセルの二つ目のコードワードストリームの肯定/否定応答メッセージは三つ目のHARQ-ACKにマッピングされ、
二つのコードワードストリームを含むコンポーネントキャリアまたはセルの肯定/否定応答メッセージは一つ目のHARQ-ACKと二つ目のHARQ-ACKにそれぞれマッピングされ、一つのコードワードストリームだけ含むコンポーネントキャリアまたはセルの肯定/否定応答メッセージは三つ目のHARQ-ACKにマッピングされる；のうち少なくとも一つを利用してコードワードストリームと対応するACK/NACK応答メッセージをチャネル選択マッピングテーブルにマッピングし、
時分割デュプレクス システムにおいて、前記端末は、
主ダウンリンクコンポーネントキャリアまたはセルの一つ目のコードワードストリームの肯定/否定応答メッセージ、または一つ二つ目のコードワードストリームの肯定/否定応答メッセージを論理AND演算した後の結果は一つ目のHARQ-ACKにマッピングされ、一つ目のサブダウンリンクコンポーネントキャリアまたはセルの一つ目のコードワードストリームの肯定/否定応答メッセージ、または一つ二つ目のコードワードストリームの肯定/否定応答メッセージを論理AND演算した後の結果は二つ目のHARQ-ACKにマッピングされ；二つ目のサブダウンリンクコンポーネントキャリアまたはセルの一つ目のコードワードストリームの肯定/否定応答メッセージ、または一つ二つ目のコードワードストリームの肯定/否定応答メッセージを論理AND演算した後の結果は三つ目のHARQ-ACKにマッピングされる方式を利用してコードワードストリームと対応するACK/NACK応答メッセージをチャネル選択マッピングテーブルにマッピングすることを特徴とする請求項13に記載の方法。
【請求項１７】
M=4であるチャネル選択マッピングテーブルの場合、
周波数分割デュプレクスシステムにおいて、前記端末は、
主ダウンリンクコンポーネントキャリアまたはセルの一つ目のコードワードストリームの肯定/否定応答メッセージは一つ目のHARQ-ACKにマッピングされ、一つ目のサブダウンリンクコンポーネントキャリアまたはセルの一つ目のコードワードストリームの肯定/否定応答メッセージは二つ目のHARQ-ACKにマッピングされ、二つ目のサブダウンリンクコンポーネントキャリアまたはセルの一つ目のコードワードストリームの肯定/否定応答メッセージは三つ目のHARQ-ACKにマッピングされ、三つ目のサブダウンリンクコンポーネントキャリアまたはセルの一つ目のコードワードストリームの肯定/否定応答メッセージは四つ目のHARQ-ACKにマッピングされ；
主ダウンリンクコンポーネントキャリアまたはセルの一つ目のコードワードストリームの肯定/否定応答メッセージは一つ目のHARQ-ACKにマッピングされ、主ダウンリンクコンポーネントキャリアまたはセルの二つ目のコードワードストリームの肯定/否定応答メッセージは二つ目のHARQ-ACKにマッピングされ、一つ目のサブダウンリンクコンポーネントキャリアまたはセルの一つ目のコードワードストリームの肯定/否定応答メッセージは三つ目のHARQ-ACKにマッピングされ、二つ目のサブダウンリンクコンポーネントキャリアまたはセルの一つ目のコードワードストリームの肯定/否定応答メッセージは四つ目のHARQ-ACKにマッピングされ、
主ダウンリンクコンポーネントキャリアまたはセルの一つ目のコードワードストリームの肯定/否定応答メッセージは一つ目のHARQ-ACKにマッピングされ、一つ目のサブダウンリンクコンポーネントキャリアまたはセルの一つ目のコードワードストリームの肯定/否定応答メッセージは二つ目のHARQ-ACKにマッピングされ、二つ目のサブダウンリンクコンポーネントキャリアまたはセルの一つ目のコードワードストリームの肯定/否定応答メッセージは三つ目のHARQ-ACKにマッピングされ、主ダウンリンクコンポーネントキャリアまたはセルの二つ目のコードワードストリームの肯定/否定応答メッセージは四つ目のHARQ-ACKにマッピングされ、
主ダウンリンクコンポーネントキャリアまたはセルの一つ目のコードワードストリームの肯定/否定応答メッセージは一つ目のHARQ-ACKにマッピングされ、一つ目のサブダウンリンクコンポーネントキャリアまたはセルの一つ目のコードワードストリームの肯定/否定応答メッセージは二つ目のHARQ-ACKにマッピングされ、一つ目のサブダウンリンクコンポーネントキャリアまたはセルの二つ目のコードワードストリームの肯定/否定応答メッセージは三つ目のHARQ-ACKにマッピングされ、二つ目のサブダウンリンクコンポーネントキャリア(またはセル)の一つ目のコードワードストリームの肯定/否定応答メッセージは四つ目のHARQ-ACKにマッピングされ；
主ダウンリンクコンポーネントキャリア(または)セルの一つ目のコードワードストリームの肯定/否定応答メッセージは一つ目のHARQ-ACKにマッピングされ、一つ目のサブダウンリンクコンポーネントキャリアまたはセルの一つ目のコードワードストリームの肯定/否定応答メッセージは二つ目のHARQ-ACKにマッピングされ、二つ目のサブダウンリンクコンポーネントキャリアまたはセルの一つ目のコードワードストリームの肯定/否定応答メッセージは三つ目のHARQ-ACKにマッピングされ、一つ目のサブダウンリンクコンポーネントキャリアまたはセルの二つ目のコードワードストリームの肯定/否定応答メッセージは四つ目のHARQ-ACKにマッピングされ；
主ダウンリンクコンポーネントキャリアまたはセルの一つ目のコードワードストリームの肯定/否定応答メッセージは一つ目のHARQ-ACKにマッピングされ、一つ目のサブダウンリンクコンポーネントキャリアまたはセルの一つ目のコードワードストリームの肯定/否定応答メッセージは二つ目のHARQ-ACKにマッピングされ、二つ目のサブダウンリンクコンポーネントキャリアまたはセルの一つ目のコードワードストリームの肯定/否定応答メッセージは三つ目のHARQ-ACKにマッピングされ、二つ目のサブダウンリンクコンポーネントキャリアまたはセルの二つ目のコードワードストリームの肯定/否定応答メッセージは四つ目のHARQ-ACKにマッピングされ；
二つのコードワードストリームを含むコンポーネントキャリアまたはセルの肯定/否定応答メッセージは一つ目のHARQ-ACKと二つ目のHARQ-ACKにそれぞれマッピングされ、一つのコードワードストリームだけ含むコンポーネントキャリアまたはセルの肯定/否定応答メッセージは三つ目のHARQ-ACKと四つ目のHARQ-ACKにそれぞれマッピングされ；
主ダウンリンクコンポーネントキャリアまたはセルの一つ目のコードワードストリームの肯定/否定応答メッセージは一つ目のHARQ-ACKにマッピングされ、主ダウンリンクコンポーネントキャリアまたはセルの二つ目のコードワードストリームの肯定/否定応答メッセージは二つ目のHARQ-ACKにマッピングされ、一つ目のサブダウンリンクコンポーネントキャリアまたはセルの一つ目のコードワードストリームの肯定/否定応答メッセージは三つ目のHARQ-ACKにマッピングされ、一つ目のサブダウンリンクコンポーネントキャリアまたはセルの二つ目のコードワードストリームの肯定/否定応答メッセージは四つ目のHARQ-ACKにマッピングされ；
主ダウンリンクコンポーネントキャリアまたはセルの一つ目のコードワードストリームの肯定/否定応答メッセージは一つ目のHARQ-ACKにマッピングされ、一つ目のサブダウンリンクコンポーネントキャリアまたはセルの一つ目のコードワードストリームの肯定/否定応答メッセージは二つ目のHARQ-ACKにマッピングされ、主ダウンリンクコンポーネントキャリアまたはセルの二つ目のコードワードストリームの肯定/否定応答メッセージは三つ目のHARQ-ACKにマッピングされ、一つ目のサブダウンリンクコンポーネントキャリアまたはセルの二つ目のコードワードストリームの肯定/否定応答メッセージは四つ目のHARQ-ACKにマッピングされる；のうち少なくとも一つを利用してコードワードストリームと対応するACK/NACK応答メッセージをチャネル選択マッピングテーブルにマッピングし、
時分割デュプレクス システムにおいて、前記端末は、
主ダウンリンクコンポーネントキャリアまたはセルの一つ目のコードワードストリームの肯定/否定応答メッセージまたは一つ二つ目のコードワードストリームの肯定/否定応答メッセージを論理AND演算した後の結果は一つ目のHARQ-ACKにマッピングされ、一つ目のサブダウンリンクコンポーネントキャリアまたはセルの一つ目のコードワードストリームの肯定/否定応答メッセージまたは一つ二つ目のコードワードストリームの肯定/否定応答メッセージを論理AND演算した後の結果は二つ目のHARQ-ACKにマッピングされ；二つ目のサブダウンリンクコンポーネントキャリアまたはセルの一つ目のコードワードストリームの肯定/否定応答メッセージまたは一つ二つ目のコードワードストリームの肯定/否定応答メッセージを論理AND演算した後の結果は三つ目のHARQ-ACKにマッピングされ；三つ目のサブダウンリンクコンポーネントキャリアまたはセルの一つ目のコードワードストリームの肯定/否定応答メッセージまたは一つ二つ目のコードワードストリームの肯定/否定応答メッセージを論理AND演算した後の結果は四つ目のHARQ-ACKにマッピングされ；
主ダウンリンクコンポーネントキャリアまたはセルが一つ目のサブフレームでの一つ目のコードワードストリームの肯定/否定応答メッセージまたは一つ二つ目のコードワードストリームの肯定/否定応答メッセージを論理AND演算した後の結果は一つ目のHARQ-ACKにマッピングされ、サブダウンリンクコンポーネントキャリアまたはセルが一つ目のサブフレームでの一つ目のコードワードストリームの肯定/否定応答メッセージまたは一つ二つ目のコードワードストリームの肯定/否定応答メッセージを論理AND演算した後の結果は二つ目のHARQ-ACKにマッピングされ、主ダウンリンクコンポーネントキャリアまたはセルが二つ目のサブフレームでの一つ目のコードワードストリームの肯定/否定応答メッセージまたは一つ二つ目のコードワードストリームの肯定/否定応答メッセージを論理AND演算した後の結果は三つ目のHARQ-ACKにマッピングされ、サブダウンリンクコンポーネントキャリアまたはセルが二つ目のサブフレームでの一つ目のコードワードストリームの肯定/否定応答メッセージまたは一つ二つ目のコードワードストリームの肯定/否定応答メッセージを論理AND演算した後の結果は四つ目のHARQ-ACKにマッピングされ；
主ダウンリンクコンポーネントキャリアまたはセルが一つ目のサブフレームでの一つ目のコードワードストリームの肯定/否定応答メッセージまたは一つ二つ目のコードワードストリームの肯定/否定応答メッセージを論理AND演算した後の結果は一つ目のHARQ-ACKにマッピングされ、主ダウンリンクコンポーネントキャリアまたはセルが二つ目のサブフレームでの一つ目のコードワードストリームの肯定/否定応答メッセージまたは一つ二つ目のコードワードストリームの肯定/否定応答メッセージを論理AND演算した後の結果は二つ目のHARQ-ACKにマッピングされ、サブダウンリンクコンポーネントキャリアまたはセルが一つ目のサブフレームでの一つ目のコードワードストリームの肯定/否定応答メッセージまたは一つ二つ目のコードワードストリームの肯定/否定応答メッセージを論理AND演算した後の結果は三つ目のHARQ-ACKにマッピングされ、サブダウンリンクコンポーネントキャリアまたはセルが二つ目のサブフレームでの一つ目のコードワードストリームの肯定/否定応答メッセージまたは一つ二つ目のコードワードストリームの肯定/否定応答メッセージを論理AND演算した後の結果は四つ目のHARQ-ACKにマッピングされるうち少なくとも一つを利用してコードワードストリームと対応するACK/NACK応答メッセージをチャネル選択マッピングテーブルにマッピングすることを特徴とする請求項13に記載の方法。
【請求項１８】
サブダウンリンクコンポーネントキャリアまたはセルは事前に定義した順序に基づいて順序排列を行い、ここで前記事前に定義した順序はキャリアインデックスに基づいて獲得したもの、またはキャリア間のスケジューリングが有効である時、キャリアインデックスフィールドCIFの値に基づいて獲得したものであることを特徴とする請求項12乃至17の中のいずれかに記載の方法。
【請求項１９】
基地局が前記端末に配置したダウンリンクコンポーネントキャリアまたはセル数、それぞれのダウンリンクコンポーネントキャリアの伝送モードのうち少なくとも一つを含む予定条件に基づいてフィードバックする肯定/否定ACK/NACK応答メッセージのビット数Lを確定する確定ブロックと；
前記ACK/NACK応答メッセージを前記L個ビットにマッピングするマッピングブロックと、含み、
前記端末が、配置されたダウンリンクコンポーネントキャリアまたはセルの相応するコードワードストリームで物理ダウンリンク共有チャネルを検出しなかった時、相応する肯定/否定応答メッセージは否定応答メッセージNACKに設置され、
前記L個ビットはチャネルコーディング、スクランブリング、変調、事前変換DFT、タイムスプレッドを経た後、DFT-s-OFDMの方式を利用して物理アップリンク制御チャネルPUCCHで送信される；または、
前記L個ビットはチャネルコーディング、チャネルインターリービングを経た後、データとマルチプレクシングして物理アップリンク共有チャネルPUSCHで送信される
ことを特徴とする端末。
【請求項２０】
ダウンリンクコンポーネントキャリアまたはセルの主/サブ、ダウンリンクコンポーネントキャリアまたはセルのコードワードストリームの順序、ダウンリンクコンポーネントキャリアまたはセルの含むコードワードストリームの数量のうち少なくとも一つに基づいてコードワードストリームと対応するACK/NACK応答メッセージをチャネル選択マッピングテーブルにマッピングし、前記端末は基地局が彼に配置したダウンリンクコンポーネントキャリアまたはセルの数量及び配置されたそれぞれのダウンリンクコンポーネントキャリアの伝送モードに基づいてACK/NACK応答メッセージを前記チャネル選択マッピングテーブルにマッピングするマッピングブロックと、
物理アップリンク制御チャネルフォーマットPUCCH format 1bでチャネル選択を利用してACK/NACK応答メッセージを送信する送信ブロックと、
を含むことを特徴とする端末。
【発明の詳細な説明】
【技術分野】
【０００１】
本発明は通信分野に関し、具体的には、肯定／否定応答メッセージのマッピング方法及び端末に関する。
【背景技術】
【０００２】
ハイブリッド自動再送要求(Hybrid Automatic Repeat Request、以下HARQと略称)方式において、送信端の送信したコードワードはエラー検出を行うことができ、ある程度のエラー訂正能力を備える。受信端デコーダはコードワードを受信した後、先ずエラー状況を検査し、もしコードワードのエラー訂正能力以内であれば、自動的にエラー訂正を行い、もしエラーが多くてコードワードのエラー訂正能力を超えているが、エラーを検出することができれば、受信端はフィードバックチャネルによって送信端に一つの判定信号を送って、送信端に情報を再送信することを要求する。直交周波数分割多重(Orthogonal Frequency Division Multiplex、以下OFDMと略称)システムにおいて、肯定/否定（Acknowledged/Non-acknowledged、以下ACK/NACKと略称することもある）応答メッセージによって伝送が正しい/エラーということを表示し、またこれから再伝送が必要かどうかを判断する。
【０００３】
ロングタームエボリュ−ション（Long Term Evolution、以下LTEと略称）システムにおいてACK/NACK応答メッセージは物理アップリンク制御チャネル（Physical Uplink Control Channel、以下PUCCHと略称）で単独で送信することができ、また物理アップリンク共有チャネル（Physical Uplink Shared Channel、以下PUSCHと略称）でデータとともに送信することができる。
【０００４】
周波数分割デュプレクス（Frequency Division Duplex、以下FDDと略称）システムにおいて、アップ/ダウンリンクサブフレームは一つ一つ対応するので、物理ダウンリンク共有チャネル（Physical Downlink Shared Channel、以下PDSCHと略称）が一つのコードワードストリームを含む場合、端末(User Equipment、以下UEと略称)は1ビットのACK/NACK応答メッセージをフィードバックしなければならないし、PDSCHが二つのコードワードストリームを含むと、UEは2ビットのACK/NACK応答メッセージをフィードバックしなければならない。またUEが現在のサブフレームで送信するPUSCHがない場合、UEはPUCCHでフォーマット1a/1bを利用してこの1/2ビットのACK/NACK応答メッセージを送信し；UEが現在のサブフレームで送信するPUSCHがある場合、UEはこの1/2ビット情報を一定のACK/NACK状態から相応ビットへのマッピング、チャネルコーディング、スクランブリング、変調を経て、データとマルチプレクシングし、その後PUSCHで送信する。
【０００５】
時分割デュプレクス（Time Division Duplex、以下TDDと略称）システムにおいて、アップ/ダウンリンクサブフレームは一つ一つ対応しない。即ち複数のダウンリンクサブフレームが対応するACK/NACK応答メッセージは一つのアップリンクサブフレームのPUCCH/PUSCHチャネルで送信しなければならないし、ここでアップリンクサブフレームが対応するダウンリンクサブフレーム集合はバンドリングウィンドウ（bundling window）を構成する。LTE TDDでは二つのACK/NACK応答メッセージの送信を定義した。以下にこれに対してそれぞれ説明する。
【０００６】
一つはACK/NACKバンドリング（ACK/NACK bundling）方法であり、該方法の基本的な思想は該アップリンクサブフレームでフィードバックする必要がある各ダウンリンクサブフレームが対応するコードワードストリームのACK/NACKメッセージを論理AND演算することであり、もし一つのダウンリンクサブフレームのPDSCH伝送が二つのコードワードストリームを含むと、UEはサブフレーム論理AND演算を経て、それぞれのコードワードストリームに対応する。2ビットのACK/NACK応答メッセージをフィードバックしなければならないし、もし各サブフレームのPDSCH伝送がみんな一つのコードワードストリームだけを含めば、UEはサブフレーム論理AND演算を経た該コードワードストリームに対応する1ビットのACK/NACK応答メッセージをフィードバックしなければならないし、UEが現在のサブフレームで送信するPUSCHがないと、UEはPUCCHでフォーマット1a/1bを利用してこの1/2ビットのACK/NACK応答メッセージを送信し；UEが現在のサブフレームで送信するPUSCHがあると、UEはこの1/2ビット情報を一定のチャネルコーディング、チャネルインターリービングを経てデートとマルチプレクシングし、その後PUSCHで送信する。
【０００７】
もう一つはACK/NACKマルチプレクシング（ACK/NACK multiplexing）方法であり、該方法はそれぞれのダウンリンクサブフレームのために一つのACK/NACK応答メッセージをフィードバックしなければならないし、複数のサブフレームは複数のACK/NACK応答メッセージをフィードバックしなければならない。またあるダウンリンクサブフレームのPDSCH伝送が二つのコードワードストリームを含むと、先ずそれぞれのコードワードストリームのACK/NACK応答メッセージに対して論理AND演算を行い、最終にそれぞれのダウンリンクサブフレームは一つのACK/NACK応答メッセージにだけ対応する。UEが現在のサブフレームで送信するPUSCHがないと、UEはPUCCHでフォーマット1bとチャネル選択を結合（format 1b with channel selection）する方式を利用してこの複数のACK/NACK応答メッセージを送信する。該方法はチャネル選択と制御チャネルフォーマット1bを結合する方式によって、携帯できるACK/NACK応答メッセージが最も多くて4ビットになるようにする。他に、異なる数のACK/NACKに対して、LTE TDDは異なるACK/NACK状態と選択したPUCCHチャネル及びformat 1bで送信した変調シンボルのマッピングテーブルを定義した。UEが現在のサブフレームで送信するPUSCHがあると、UEは複数のビット情報を一定なACK/NACK状態から相応するビットへのマッピング、チャネルコーディング、チャネルインターリービングをへて、データとマルチプレクシングし、その後PUSCHで送信する。UEがそれぞれのサブフレームでフィードバックするACK/NACKの数はシステムのアップ/ダウンリンクサブフレームの配置によって決められる。
【０００８】
UEがACK/NACK bundling、それともACK/NACK multiplexingを利用してACK/NACKをフィードバックするかどうかはハイレベルが配置する。
【０００９】
高度国際電気通信連合（International Telecommunication Union-Advanced、以下ITU-Advancedと略称）の要求を満足するために、LTEのエボリュ−ション標準である高度ロングタームエボリュ−ション（Long Term Evolution Advanced、以下LTE-Aと略称）システムは、更に大きいシステム帯域幅（最高で100MHzになることができる）を支援することを必要とし、LTE既存の標準との下位互換性を必要とする。現有のLTEシステムを基にして、LTEシステムの帯域幅を合併して更に大きい帯域幅を得ることができ、こんな技術をキャリアアグリゲーション（Carrier Aggregation、以下CAと略称）技術と呼び、該技術はIMT-Advanceシステムのスペクトル利用率を向上することができ、スペクトル資源の不足を緩和することができ、従ってスペクトル資源の利用が最適化される。
【００１０】
LTE-Aがキャリアアグリゲーション技術を利用した時、基地局がUEのために複数のダウンリンクコンポーネントキャリアを配置した時、UEはこの複数のダウンリンクコンポーネントキャリアの相応するコードワードストリームのACK/NACK応答メッセージをフィードバックしなければならない。LTE-Aでは、ACK/NACK応答メッセージが物理アップリンク制御チャネルで送信される時、二つのフィードバック方式を定義した。即ち、PUCCHフォーマット1b（format 1b）とチャネル選択を結合（Format 1b with channel selection）する方式及びDFT-s-OFDMに基づく一種のフィードバック方式である。
【００１１】
上述したように、PUCCH format 1bとチャネル選択を結合する方法において、異なるACK/NACKフィードバック数量に対して、対応するマッピングテーブルは異なり、且つ、一つのマッピングテーブルにおいて、ACK/NACK応答メッセージの配列順序が異なれば、UEが最終にフィードバックする時に利用するチャネル及び相応する変調シンボルも異なる。現在LTE-Aに対する議論において、ダウンリンクコンポーネントキャリアの相応するコードワードストリームのACK/NACK応答メッセージと、マッピングテーブル中のHARQ-ACK状態の対応関係に対しては、まだ定論がない。
【００１２】
DFT-s-OFDMに基づく方式において、異なるACK/NACKフィードバック数量に対して、対応するACK/NACK状態から相応するビットへのマッピングも異なる。そしてUEがフィードバックするACK/NACKの数量に対して、UEと基地局の両方には一つの約束した関係がある。現在LTE-Aの一つの作業仮説は、UEのフィードバックするACK/NACKは、配置されるダウンリンクコンポーネントキャリア及びそれぞれのダウンリンクコンポーネントキャリアの伝送モードに基づいて確定されるというものである。例えば、基地局は端末に三つのキャリアを配置し、また三つのキャリアは全部MIMOモードに配置されていると、UEは（3x2=6）ビットのACK/NACK応答メッセージをフィードバックしなければならない。しかし、実際にフィードバックした6ビットの情報とそれぞれの配置されたコンポーネントキャリアとのマッピング関係にはまだ具体的な方策がない。
【００１３】
そのため、もしACK/NACK応答メッセージとフィードバックしたビットとのマッピング関係、またはACK/NACK応答メッセージとマッピングテーブルのHARQ-ACK状態との対応関係が基地局と端末で異なる理解があれば、基地局はUEがフィードバックしたACK/NACK応答メッセージに対して正しくない理解をし、従ってエラーが発生する。
【発明の概要】
【発明が解決しようとする課題】
【００１４】
ACK/NACK応答メッセージのマッピング方法及び端末を提供し、少なくとも前記問題を解決することをその主要目的とする。
【課題を解決するための手段】
【００１５】
本発明の一側面によれば、ACK/NACK応答メッセージのマッピング方法を提供し、該方法は基地局が端末に配置したダウンリンクコンポーネントキャリアまたはセル(Cell)の数と、それぞれのダウンリンクコンポーネントキャリアの伝送モードのうち少なくとも一つを含む予定条件に基づいて、端末がフィードバックする肯定／否定応答メッセージのビット数Lを確定するステップと、前記端末が前記ACK/NACK応答メッセージを前記L個ビットにマッピングするステップを含む。
【００１６】
周波数分割デュプレクスシステムにおいて、前記端末は前記基地局が彼に配置したダウンリンクコンポーネントキャリアまたはセル数、及び配置されたそれぞれのダウンリンクコンポーネントキャリアの伝送モードに基づいて、フィードバックする肯定／否定応答メッセージのビット数Lを確定し、前記端末は先ずコードワードストリーム後でダウンリンクコンポーネントキャリアまたはセルの順序、または、先ずダウンリンクコンポーネントキャリアまたはセル後でコードワードストリームの順序に基づいて相応する肯定／否定応答メッセージをLビットにマッピングする。
【００１７】
前記ビット数L
0005873873.tif 000002
0005873873.tif 000003
、ここで、前記Mは前記基地局が前記端末に配置したダウンリンクコンポーネントキャリアまたはセル数であり、前記xiは前記端末に配置した各ダウンリンクコンポーネントキャリアまたはセルの伝送モードがフィードバックする肯定／否定応答メッセージのビット数であり、ダウンリンクコンポーネントキャリアの伝送モードが一つのコードワードストリームだけ含む時、xiは1であり、ダウンリンクコンポーネントキャリアの伝送モードが二つのコードワードストリームを含む時、xiは2である。
【００１８】
時分割デュプレクスシステムにおいて、前記端末は前記基地局が配置したダウンリンクコンポーネントキャリアまたはセル数、配置されたアップ/ダウンリンクサブフレーム比例関係と、配置されたそれぞれのダウンリンクコンポーネントキャリアの伝送モードに基づいてフィードバックする肯定／否定応答メッセージの前記ビット数Lを確定し、前記端末は先ずコードワードストリーム、後でダウンリンクコンポーネントキャリアまたはセル、その後サブフレームの順序、または先ずコードワードストリーム、後でサブフレーム、その後コンポーネントキャリア(またはセル)の順序に基づいて相応する肯定／否定応答メッセージをLビットにマッピングする。
【００１９】
時分割デュプレクスシステムにおいて、前記基地局が前記端末はコードワードストリーム間の肯定／否定応答メッセージの論理AND演算を行う必要があると配置した状況で、前記端末は前記基地局が前記端末に配置したダウンリンクコンポーネントキャリアまたはセル数と、配置されたアップ/ダウンリンクサブフレーム比例関係に基づいてフィードバックする肯定／否定応答メッセージの前記ビット数Lを確定し、前記端末は先ずダウンリンクコンポーネントキャリアまたはセル、後でサブフレームの順序、または先ずサブフレーム、後でダウンリンクコンポーネントキャリアまたはセルの順序に基づいて相応する肯定／否定応答メッセージを前記L個のビットにマッピングする。
【００２０】
時分割デュプレクスシステムにおいて、前記基地局が前記端末はコードワードストリーム間の肯定／否定応答メッセージの論理AND演算を行う必要があると配置した状況で、前記端末は前記基地局が前記端末に配置したダウンリンクコンポーネントキャリアまたはセル数と、配置されたアップ/ダウンリンクサブフレーム比例関係に基づいてフィードバックする肯定／否定応答メッセージの前記ビット数Lを確定し、前記基地局ダウンリンク制御情報DCIのダウンリンクアサインメントインデックスDAIは先ずコンポーネントキャリア、後でサブフレームの順序に基づいて物理ダウンリンク制御チャネルPDCCHの数量を累計することを表示する時、前記端末は前記DAIに基づいて相応する肯定／否定応答メッセージを前記DAIの対応するビット位置にマッピングする。
【００２１】
サブフレームに基づいてマッピングを行う時、サブフレームの前後順序に基づいてマッピングする。
【００２２】
前記基地局はハイレベルシグナルによって前記端末がコードワードストリーム間の肯定／否定応答メッセージの論理AND演算を行う必要があるかどうかを配置する。
【００２３】
コードワードストリーム間の肯定／否定応答メッセージの論理ANDが有効でない状況で、前記ビット数Lは
0005873873.tif 000004
0005873873.tif 000005
であり、コードワードストリーム間の肯定／否定応答メッセージの論理ANDが有効である状況で、前記ビット数Lは
0005873873.tif 000006
であり、ここで、Mは前記基地局が前記端末に配置したダウンリンクコンポーネントキャリアまたはセル数であり、Nはアップリンクサブフレームがフィードバックするダウンリンクサブフレームの肯定／否定応答メッセージの数量であり、xiは前記端末に配置した各ダウンリンクコンポーネントキャリアまたはセルがフィードバックする肯定／否定応答メッセージのビット数であり、ダウンリンクコンポーネントキャリアの伝送モードが一つのコードワードストリームだけ含む時、xiは1であり、ダウンリンクコンポーネントキャリアの伝送モードが二つのコードワードストリームを含む時、xiは2である。
【００２４】
ダウンリンクコンポーネントキャリアまたはセルに基づいてマッピングを行う時、先ず主ダウンリンクコンポーネントキャリアまたはセルをマッピングし、後でサブダウンリンクコンポーネントキャリアまたはセルをマッピングし；またはダウンリンクコンポーネントキャリアまたはセルのインデックスに基づいてマッピングを行う。
【００２５】
前記端末が、配置されたダウンリンクコンポーネントキャリアまたはセルの相応するコードワードストリームで物理ダウンリンク共有チャネルを検出しなかった時、相応する肯定／否定応答メッセージは否定応答メッセージNACKに設置される。
【００２６】
肯定応答メッセージACKは二進法の“1”に対応し、否定応答メッセージNACKは二進法の“0”に対応する。
【００２７】
前記L個ビットはチャネルコーディング、スクランブリング、変調、事前変換DFT、タイムスプレッドを経た後、DFT-s-OFDMの方式を利用して、物理アップリンク制御チャネル PUCCHで送信される。または前記L個ビットはチャネルコーディング、チャネルインターリービングを経た後、データとマルチプレクシングして物理アップリンク共有チャネルPUSCHで送信される。
【００２８】
本発明の一側面によれば、また一種の肯定／否定応答メッセージのマッピング方法を更に提供する。ダウンリンクコンポーネントキャリアまたはセルの主/サブ、ダウンリンクコンポーネントキャリアまたはセルのコードワードストリームの順序、ダウンリンクコンポーネントキャリアまたはセルの含むコードワードストリームの数量のうち少なくとも一つに基づいて、端末がコードワードストリームと対応するACK/NACK応答メッセージをチャネル選択マッピングテーブルにマッピングするステップと；前記端末が物理アップリンク制御チャネルフォーマットPUCCH  format  1bでチャネル選択を利用してACK/NACK応答メッセージを送信するステップとを含む。
【００２９】
前記端末は基地局が彼に配置したダウンリンクコンポーネントキャリアまたはセルの数量及び配置されたそれぞれのダウンリンクコンポーネントキャリアの伝送モードに基づいてACK/NACK応答メッセージを前記チャネル選択マッピングテーブルにマッピングする。
【００３０】
前記端末はダウンリンクコンポーネントキャリアまたはセルの主/サブと、ダウンリンクコンポーネントキャリアまたはセルのコードワードストリームの順序、またはダウンリンクコンポーネントキャリアまたはセルの含むコードワードストリームの数量に基づいてACK/NACK応答メッセージを前記チャネル選択マッピングテーブルにマッピングする。
【００３１】
前記端末は先ず主ダウンリンクコンポーネントキャリアまたはセル、後でサブダウンリンクコンポーネントキャリアまたはセルの順序、またはダウンリンクコンポーネントキャリアまたはセルの含むコードワードストリームの数量の多い方から少ない方への順序に基づいてACK/NACK応答メッセージを前記チャネル選択マッピングテーブルにマッピングする。
【００３２】
M=2であるチャネル選択マッピングテーブルの場合、周波数分割デュプレクスシステムにおいて、主ダウンリンクコンポーネントキャリアまたはセルの一つ目のコードワードストリームの肯定／否定応答メッセージは一つ目のHARQ-ACKにマッピングされ、サブダウンリンクコンポーネントキャリアまたはセルの一つ目のコードワードストリームの肯定／否定応答メッセージは二つ目のHARQ-ACKにマッピングされる。時分割デュプレクスシステムにおいて、主ダウンリンクコンポーネントキャリアまたはセルの一つ目のコードワードストリームの肯定／否定応答メッセージ、または一つ二つ目のコードワードストリームの肯定／否定応答メッセージを論理AND演算した後の結果は一つ目のHARQ-ACKにマッピングされ、サブダウンリンクコンポーネントキャリアまたはセルの一つ目のコードワードストリームの肯定／否定応答メッセージまたは一つ二つ目のコードワードストリームの肯定／否定応答メッセージを論理AND演算した後の結果は二つ目のHARQ-ACKにマッピングされる。
【００３３】
M=3であるチャネル選択マッピングテーブルの場合、周波数分割デュプレクスシステムにおいて、前記端末は以下の少なくとも一つを利用してコードワードストリームと対応するACK/NACK応答メッセージをチャネル選択マッピングテーブルにマッピングする。主ダウンリンクコンポーネントキャリアまたはセルの一つ目のコードワードストリームの肯定／否定応答メッセージは一つ目のHARQ-ACKにマッピングされ、一つ目のサブダウンリンクコンポーネントキャリアまたはセルの一つ目のコードワードストリームの肯定／否定応答メッセージは二つ目のHARQ-ACKにマッピングされ、二つ目のサブダウンリンクコンポーネントキャリアまたはセルの一つ目のコードワードストリームの肯定／否定応答メッセージは三つ目のHARQ-ACKにマッピングされる。主ダウンリンクコンポーネントキャリアまたはセルの一つ目のコードワードストリームの肯定／否定応答メッセージは一つ目のHARQ-ACKにマッピングされ、主ダウンリンクコンポーネントキャリアまたはセルの二つ目のコードワードストリームの肯定／否定応答メッセージは二つ目のHARQ-ACKにマッピングされ、サブダウンリンクコンポーネントキャリアまたはセルの一つ目のコードワードストリームの肯定／否定応答メッセージは三つ目のHARQ-ACKにマッピングされる；主ダウンリンクコンポーネントキャリアまたはセルの一つ目のコードワードストリームの肯定／否定応答メッセージは一つ目のHARQ-ACKにマッピングされ、サブダウンリンクコンポーネントキャリアまたはセルの一つ目のコードワードストリームの肯定／否定応答メッセージは二つ目のHARQ-ACKにマッピングされ、主ダウンリンクコンポーネントキャリアまたはセルの二つ目のコードワードストリームの肯定／否定応答メッセージは三つ目のHARQ-ACKにマッピングされる；主ダウンリンクコンポーネントキャリアまたはセルの一つ目のコードワードストリームの肯定／否定応答メッセージは一つ目のHARQ-ACKにマッピングされ、サブダウンリンクコンポーネントキャリアまたはセルの一つ目のコードワードストリームの肯定／否定応答メッセージは二つ目のHARQ-ACKにマッピングされ、サブダウンリンクコンポーネントキャリアまたはセルの二つ目のコードワードストリームの肯定／否定応答メッセージは三つ目のHARQ-ACKにマッピングされる；二つのコードワードストリームを含むコンポーネントキャリアまたはセルの肯定／否定応答メッセージは一つ目のHARQ-ACKと二つ目のHARQ-ACK(1)にそれぞれマッピングされ、一つのコードワードストリームだけ含むコンポーネントキャリアまたはセルの肯定／否定応答メッセージは三つ目のHARQ-ACKにマッピングされる。時分割デュプレクスシステムにおいて、前記端末は以下の方式を利用してコードワードストリームと対応するACK/NACK応答メッセージをチャネル選択マッピングテーブルにマッピングする。主ダウンリンクコンポーネントキャリアまたはセルの一つ目のコードワードストリームの肯定／否定応答メッセージ、または一つ二つ目のコードワードストリームの肯定／否定応答メッセージを論理AND演算した後の結果は一つ目のHARQ-ACKにマッピングされ、一つ目のサブダウンリンクコンポーネントキャリアまたはセルの一つ目のコードワードストリームの肯定／否定応答メッセージ、または一つ二つ目のコードワードストリームの肯定／否定応答メッセージを論理AND演算した後の結果は二つ目のHARQ-ACKにマッピングされ；二つ目のサブダウンリンクコンポーネントキャリアまたはセルの一つ目のコードワードストリームの肯定／否定応答メッセージ、または一つ二つ目のコードワードストリームの肯定／否定応答メッセージを論理AND演算した後の結果は三つ目のHARQ-ACKにマッピングされる。
【００３４】
M=4であるチャネル選択マッピングテーブルの場合、周波数分割デュプレクスシステムにおいて、前記端末は以下の少なくとも一つを利用してコードワードストリームと対応するACK/NACK応答メッセージをチャネル選択マッピングテーブルにマッピングする。主ダウンリンクコンポーネントキャリアまたはセルの一つ目のコードワードストリームの肯定／否定応答メッセージは一つ目のHARQ-ACKにマッピングされ、一つ目のサブダウンリンクコンポーネントキャリアまたはセルの一つ目のコードワードストリームの肯定／否定応答メッセージは三つ目のHARQ-ACKにマッピングされ、二つ目のサブダウンリンクコンポーネントキャリアまたはセルの一つ目のコードワードストリームの肯定／否定応答メッセージは三つ目のHARQ-ACKにマッピングされ、三つ目のサブダウンリンクコンポーネントキャリアまたはセルの一つ目のコードワードストリームの肯定／否定応答メッセージは四つ目のHARQ-ACKにマッピングされる。主ダウンリンクコンポーネントキャリアまたはセルの一つ目のコードワードストリームの肯定／否定応答メッセージは一つ目のHARQ-ACKにマッピングされ、主ダウンリンクコンポーネントキャリアまたはセルの二つ目のコードワードストリームの肯定／否定応答メッセージは二つ目のHARQ-ACKにマッピングされ、一つ目のサブダウンリンクコンポーネントキャリアまたはセルの一つ目のコードワードストリームの肯定／否定応答メッセージは三つ目のHARQ-ACKにマッピングされ、二つ目のサブダウンリンクコンポーネントキャリアまたはセルの一つ目のコードワードストリームの肯定／否定応答メッセージは四つ目のHARQ-ACKにマッピングされる；主ダウンリンクコンポーネントキャリアまたはセルの一つ目のコードワードストリームの肯定／否定応答メッセージは一つ目のHARQ-ACKにマッピングされ、一つ目のサブダウンリンクコンポーネントキャリアまたはセルの一つ目のコードワードストリームの肯定／否定応答メッセージは二つ目のHARQ-ACKにマッピングされ、二つ目のサブダウンリンクコンポーネントキャリアまたはセルの一つ目のコードワードストリームの肯定／否定応答メッセージは三つ目のHARQ-ACKにマッピングされ、主ダウンリンクコンポーネントキャリアまたはセルの二つ目のコードワードストリームの肯定／否定応答メッセージは四つ目のHARQ-ACKにマッピングされる；主ダウンリンクコンポーネントキャリアまたはセルの一つ目のコードワードストリームの肯定／否定応答メッセージは一つ目のHARQ-ACKにマッピングされ、一つ目のサブダウンリンクコンポーネントキャリアまたはセルの一つ目のコードワードストリームの肯定／否定応答メッセージは二つ目のHARQ-ACKにマッピングされ、一つ目のサブダウンリンクコンポーネントキャリアまたはセルの二つ目のコードワードストリームの肯定／否定応答メッセージは三つ目のHARQ-ACKにマッピングされ、二つ目のサブダウンリンクコンポーネントキャリア(またはセル)の一つ目のコードワードストリームの肯定／否定応答メッセージは四つ目のHARQ-ACKにマッピングされる。主ダウンリンクコンポーネントキャリア(またはセル）の一つ目のコードワードストリームの肯定／否定応答メッセージは一つ目のHARQ-ACKにマッピングされ、一つ目のサブダウンリンクコンポーネントキャリアまたはセルの一つ目のコードワードストリームの肯定／否定応答メッセージは二つ目のHARQ-ACKにマッピングされ、二つ目のサブダウンリンクコンポーネントキャリアまたはセルの一つ目のコードワードストリームの肯定／否定応答メッセージは三つ目のHARQ-ACKにマッピングされ、一つ目のサブダウンリンクコンポーネントキャリアまたはセルの二つ目のコードワードストリームの肯定／否定応答メッセージは四つ目のHARQ-ACKにマッピングされる。主ダウンリンクコンポーネントキャリアまたはセルの一つ目のコードワードストリームの肯定／否定応答メッセージは一つ目のHARQ-ACKにマッピングされ、一つ目のサブダウンリンクコンポーネントキャリアまたはセルの一つ目のコードワードストリームの肯定／否定応答メッセージは二つ目のHARQ-ACKにマッピングされ、二つ目のサブダウンリンクコンポーネントキャリアまたはセルの一つ目のコードワードストリームの肯定／否定応答メッセージは三つ目のHARQ-ACKにマッピングされ、二つ目のサブダウンリンクコンポーネントキャリアまたはセルの二つ目のコードワードストリームの肯定／否定応答メッセージは四つ目のHARQ-ACKにマッピングされる。二つのコードワードストリームを含むコンポーネントキャリアまたはセルの肯定／否定応答メッセージは一つ目のHARQ-ACKと二つ目のHARQ-ACKにそれぞれマッピングされ、一つのコードワードストリームだけ含むコンポーネントキャリアまたはセルの肯定／否定応答メッセージは三つ目のHARQ-ACKと四つ目のHARQ-ACKにそれぞれマッピングされる。主ダウンリンクコンポーネントキャリアまたはセルの一つ目のコードワードストリームの肯定／否定応答メッセージは一つ目のHARQ-ACKにマッピングされ、主ダウンリンクコンポーネントキャリアまたはセルの二つ目のコードワードストリームの肯定／否定応答メッセージは二つ目のHARQ-ACKにマッピングされ、一つ目のサブダウンリンクコンポーネントキャリアまたはセルの一つ目のコードワードストリームの肯定／否定応答メッセージは三つ目のHARQ-ACKにマッピングされ、一つ目のサブダウンリンクコンポーネントキャリアまたはセルの二つ目のコードワードストリームの肯定／否定応答メッセージは四つ目のHARQ-ACKにマッピングされる。主ダウンリンクコンポーネントキャリアまたはセルの一つ目のコードワードストリームの肯定／否定応答メッセージは一つ目のHARQ-ACKにマッピングされ、一つ目のサブダウンリンクコンポーネントキャリアまたはセルの一つ目のコードワードストリームの肯定／否定応答メッセージは二つ目のHARQ-ACKにマッピングされ、主ダウンリンクコンポーネントキャリアまたはセルの二つ目のコードワードストリームの肯定／否定応答メッセージは三つ目のHARQ-ACKにマッピングされ、一つ目のサブダウンリンクコンポーネントキャリアまたはセルの二つ目のコードワードストリームの肯定／否定応答メッセージは四つ目のHARQ-ACKにマッピングされる。時分割デュプレクスシステムにおいて、前記端末は以下の少なくとも一つを利用してコードワードストリームと対応するACK/NACK応答メッセージをチャネル選択マッピングテーブルにマッピングする。主ダウンリンクコンポーネントキャリアまたはセルの一つ目のコードワードストリームの肯定／否定応答メッセージまたは一つ二つ目のコードワードスト��ームの肯定／否定応答メッセージを論理AND演算した後の結果は一つ目のHARQ-ACKにマッピングされ、一つ目のサブダウンリンクコンポーネントキャリアまたはセルの一つ目のコードワードストリームの肯定／否定応答メッセージまたは一つ二つ目のコードワードストリームの肯定／否定応答メッセージを論理AND演算した後の結果は二つ目のHARQ-ACKにマッピングされ、二つ目のサブダウンリンクコンポーネントキャリアまたはセルの一つ目のコードワードストリームの肯定／否定応答メッセージまたは一つ二つ目のコードワードストリームの肯定／否定応答メッセージを論理AND演算した後の結果は三つ目のHARQ-ACKにマッピングされ、三つ目のサブダウンリンクコンポーネントキャリアまたはセルの一つ目のコードワードストリームの肯定／否定応答メッセージまたは一つ二つ目のコードワードストリームの肯定／否定応答メッセージを論理AND演算した後の結果は四つ目のHARQ-ACKにマッピングされ、主ダウンリンクコンポーネントキャリアまたはセルが一つ目のサブフレームでの一つ目のコードワードストリームの肯定／否定応答メッセージまたは一つ二つ目のコードワードストリームの肯定／否定応答メッセージを論理AND演算した後の結果は一つ目のHARQ-ACKにマッピングされ、サブダウンリンクコンポーネントキャリアまたはセルが一つ目のサブフレームでの一つ目のコードワードストリームの肯定／否定応答メッセージまたは一つ二つ目のコードワードストリームの肯定／否定応答メッセージを論理AND演算した後の結果は二つ目のHARQ-ACKにマッピングされ、主ダウンリンクコンポーネントキャリアまたはセルが二つ目のサブフレームでの一つ目のコードワードストリームの肯定／否定応答メッセージまたは一つ二つ目のコードワードストリームの肯定／否定応答メッセージを論理AND演算した後の結果は三つ目のHARQ-ACKにマッピングされ、サブダウンリンクコンポーネントキャリアまたはセルが二つ目のサブフレームでの一つ目のコードワードストリームの肯定／否定応答メッセージまたは一つ二つ目のコードワードストリームの肯定／否定応答メッセージを論理AND演算した後の結果は四つ目のHARQ-ACKにマッピングされる。主ダウンリンクコンポーネントキャリアまたはセルが一つ目のサブフレームでの一つ目のコードワードストリームの肯定／否定応答メッセージまたは一つ二つ目のコードワードストリームの肯定／否定応答メッセージを論理AND演算した後の結果は一つ目のHARQ-ACKにマッピングされ、主ダウンリンクコンポーネントキャリアまたはセルが二つ目のサブフレームでの一つ目のコードワードストリームの肯定／否定応答メッセージまたは一つ二つ目のコードワードストリームの肯定／否定応答メッセージを論理AND演算した後の結果は二つ目のHARQ-ACKマッピングされ、サブダウンリンクコンポーネントキャリアまたはセルが一つ目のサブフレームでの一つ目のコードワードストリームの肯定／否定応答メッセージまたは一つ二つ目のコードワードストリームの肯定／否定応答メッセージを論理AND演算した後の結果は三つ目のHARQ-ACKにマッピングされ、サブダウンリンクコンポーネントキャリアまたはセルが二つ目のサブフレームでの一つ目のコードワードストリームの肯定／否定応答メッセージまたは一つ二つ目のコードワードスト���ームの肯定／否定応答メッセージを論理AND演算した後の結果は四つ目のHARQ-ACKにマッピングされる。
【００３５】
サブダウンリンクコンポーネントキャリアまたはセルは事前に定義した順序に基づいて順序配列を行い；ここで、前記事前に定義した順序はキャリアインデックスに基づいて獲得したもの、またはキャリア間のスケジューリングが有効である時、キャリアインデックスフィールドCIFの値に基づいて獲得したものである。
【００３６】
本発明の他の一側面によれば、端末を提供する。該端末は、基地局が前記端末に配置したダウンリンクコンポーネントキャリアまたはセルの数、それぞれのダウンリンクコンポーネントキャリアの伝送モードのうち少なくとも一つを含む予定条件に基づいて、フィードバックする肯定／否定応答メッセージのビット数Lを確定する確定ブロックと、前記ACK/NACK応答メッセージを前記L個ビットにマッピングするマッピングブロックとを含む。
【００３７】
本発明の他の一側面によれば、もう一種の端末を更に提供する。該端末は、ダウンリンクコンポーネントキャリアまたはセルの主/サブ、ダウンリンクコンポーネントキャリアまたはセルのコードワードストリームの順序、ダウンリンクコンポーネントキャリアまたはセルの含むコードワードストリームの数量のうち少なくとも一つに基づいて、コードワードストリームと対応するACK/NACK応答メッセージをチャネル選択マッピングテーブルにマッピングするマッピングブロックと、物理アップリンク制御チャネルフォーマットPUCCH  format  1bでチャネル選択を利用してACK/NACK応答メッセージを送信する送信ブロックとを含む。
【発明の効果】
【００３８】
本発明によれば、関連技術における基地局がUEのフィードバックしたACK/NACK応答メッセージに対して正しくない理解をする可能性があるため引き起こす問題を解決することができ、従ってACK/NACK応答メッセージを正しく処理することができる。
【図面の簡単な説明】
【００３９】
ここで説明する図面は本発明を理解するためのもので、本発明の一部を構成し、本発明における実施例と共に本発明を解釈し、本発明を不当に限定するものではない。
【図１】図１は、本発明の実施例に係わる肯定／否定応答メッセージのマッピング方法を示すフローチャートである。
【図２】図２は、本発明の実施例に係わるFDDシステムにおけるACK/NACK応答メッセージマッピング方法を示す一つの図である。
【図３】図３は、本発明の実施例に係わるTDDシステムにおけるACK/NACK応答メッセージ マッピング方法を示す一つの図である。
【図４】図４は、本発明の実施例に係わるTDDシステムにおけるACK/NACK応答メッセージマッピング方法を示すもう一つの図である。
【図５】図５は、本発明の実施例に係わるTDDシステムにおけるACK/NACK応答メッセージマッピング方法を示すもう一つの図である。
【図６】図６は、本発明の実施例に係わるTDDシステムにおけるACK/NACK応答メッセージマッピング方法を示すもう一つの図である。
【図７】図７は、本発明の実施例に係わるTDDシステムにおけるACK/NACK応答メッセージマッピング方法を示すもう一つの図である。
【図８】図８は、本発明の実施例に係わる端末のブロック図である。
【図９】図９は、本発明の実施例に係わる肯定／否定応答メッセージのマッピング方法を示すもう一つのフローチャートである。
【図１０】図１０は、本発明の実施例に係わるTDDシステムにおけるACK/NACK応答メッセージマッピング方法を示すもう一つの図である。
【図１１】図１１は、本発明の実施例に係わるTDDシステムにおけるACK/NACK応答メッセージマッピング方法を示すもう一つの図である。
【図１２】図１２は、本発明の実施例に係わるTDDシステムにおけるACK/NACK応答メッセージマッピング方法を示すもう一つの図である。
【図１３】図１３は、本発明の実施例に係わるTDDシステムにおけるACK/NACK応答メッセージマッピング方法を示すもう一つの図である。
【図１４】図１４は、本発明の実施例に係わるTDDシステムにおけるACK/NACK応答メッセージマッピング方法を示すもう一つの図である。
【図１５】図１５は、本発明の実施例に係わるTDDシステムにおけるACK/NACK応答メッセージマッピング方法を示すもう一つの図である。
【図１６】図１６は、本発明の実施例に係わるTDDシステムにおけるACK/NACK応答メッセージマッピング方法を示すもう一つの図である。
【図１７】図１７は、本発明の実施例に係わるTDDシステムにおけるACK/NACK応答メッセージマッピング方法を示すもう一つの図である。
【図１８】図１８は、本発明の実施例に係わるTDDシステムにおけるACK/NACK応答メッセージマッピング方法を示すもう一つの図である。
【図１９】図１９は、本発明の実施例に係わるTDDシステムにおけるACK/NACK応答メッセージマッピング方法を示すもう一つの図である。
【図２０】図２０は、本発明の実施例に係わるTDDシステムにおけるACK/NACK応答メッセージマッピング方法を示すもう一つの図である。
【図２１】図２１は、本発明の実施例に係わるTDDシステムにおけるACK/NACK応答メッセージマッピング方法を示すもう一つの図である。
【図２２】図２２は、本発明の実施例に係わるTDDシステムにおけるACK/NACK応答メッセージマッピング方法を示すもう一つの図である。
【図２３】図２３は、本発明の実施例に係わるもう一つの端末のブロック図である。
【発明を実施するための形態】
【００４０】
以下、図面を参照しつつ実施例に基づいて本発明を詳しく説明する。ここで、互いに矛盾しないかぎり、本明細書における実施例及び実施例に記載の特徴を互いに結合することができる。
【００４１】
図１は、本発明の実施例に係わる肯定／否定応答メッセージのマッピング方法を示すフローチャートであり、図１に示したように、該プロセスは以下のようなステップを含む。
【００４２】
ステップS102、端末は予定条件に基づいてフィードバックする肯定／否定応答メッセージのビット数Lを確定し、ここでここで、予定条件は基地局が端末に配置したダウンリンクコンポーネントキャリアまたはセル数、それぞれのダウンリンクコンポーネントキャリアの伝送モードの中の少なくとも一つを含む。
【００４３】
ステップS104、端末はACK/NACK応答メッセージをL個ビットにマッピングする。
【００４４】
以下に、ACK/NACKがPUCCH format 3とPUSCHにおいて送信されることを例として説明する。以下の好適な実施例は周波数分割デュプレクスシステムと時分割デュプレクスシステムについてそれぞれ説明する。
【００４５】
周波数分割デュプレクスシステムにおいて、端末は基地局が端末に配置したダウンリンクコンポーネントキャリア(またはセル)数及び配置されたそれぞれのダウンリンクコンポーネントキャリアの伝送モードに基づいてフィードバックする肯定／否定応答メッセージのビット数Lを決定し、その後先ずコードワードストリーム、後でコンポーネントキャリア(またはセル)の順序、または先ずコンポーネントキャリア(またはセル)、後でコードワードストリームの順序に基づいて相応する肯定／否定応答メッセージをLビットにマッピングする。
【００４６】
もし基地局が端末に配置したダウンリンクコンポーネントキャリア(またはセル)数はMであり、前記端末に配置された各ダウンリンクコンポーネントキャリア(またはセル)の伝送モードがフィードバックする肯定／否定応答メッセージのビット数が
0005873873.tif 000007
であり、また
0005873873.tif 000008
であれば、
UEがフィードバックするビット数は
0005873873.tif 000009
であることが好適である。
【００４７】
時分割デュプレクスシステムにおいて、端末は基地局が端末に配置したダウンリンクコンポーネントキャリア(またはセル)数、配置されたアップ/ダウンリンクサブフレーム比例関係及び配置されたそれぞれのダウンリンクコンポーネントキャリアの伝送モードに基づいてフィードバックする肯定／否定応答メッセージのビット数Lを決定し、その後先ずコードワードストリーム、後でコンポーネントキャリア(またはセル)、その後サブフレームの順序、または先ずコードワードストリーム、後でサブフレーム、その後コンポーネントキャリア(またはセル)の順序に基づいて相応する肯定／否定応答メッセージをLビットにマッピングする。
【００４８】
基地局はハイレベルシグナルによって、端末がコードワードストリーム間の肯定／否定応答メッセージの論理AND演算を行う必要があるかどうかを配置することが好適である。例えば基地局が端末はコードワードストリーム間の肯定／否定応答メッセージの論理AND演算を行う必要があると配置した時、端末は基地局が端末に配置したダウンリンクコンポーネントキャリア(またはセル)数は配置されたアップ/ダウンリンクサブフレーム比例関係に基づいてフィードバックする肯定／否定応答メッセージのビット数Lを決定し、その後、先ずコンポーネントキャリア(またはセル)、後でサブフレームの順序、または先ずサブフレーム、後でコンポーネントキャリア(またはセル)の順序に基づいて相応する肯定／否定応答メッセージをLビットにマッピングする。
【００４９】
時分割デュプレクスシステムおいて、基地局が端末はコードワードストリーム間の肯定／否定応答メッセージの論理AND演算を行う必要があると配置した時、端末は基地局が端末に配置したダウンリンクコンポーネントキャリアまたはセル数と配置されたアップ/ダウンリンクサブフレーム比例関係に基づいてフィードバックする肯定／否定応答メッセージのビット数Lを確定し、基地局ダウンリンク制御情報（Downlink control Information、以下DCIと略称）のダウンリンクアサインメントインデックス（Downlink Assignment Index、以下DAIと略称）は先ずコンポーネントキャリア、後でサブフレームの順序に基づいてPDCCHの数量を累計することを表示する時、端末はDAIに基づいて相応する肯定／否定応答メッセージをDAIの対応するビット位置にマッピングすることが好適である。
【００５０】
もし基地局が端末に配置したダウンリンクコンポーネントキャリア(またはセル)数はMであり、あるアップリンクサブフレームはN個のダウンリンクサブフレームの肯定／否定応答メッセージをフィードバックしたければならない、また前記端末に配置された各ダウンリンクコンポーネントキャリア(またはセル)がフィードバックする肯定／否定応答メッセージのビット数は 
0005873873.tif 000010
であり、また
0005873873.tif 000011
であれば、
UEのフィードバックするビット数は、
0005873873.tif 000012
であることが好適である。
【００５１】
周波数分割デュプレクスシステムであっても、時分割デュプレクスシステムであっても、全て以下の好適な実施方式を応用することができる。
【００５２】
コンポーネントキャリア（またはセル）に基づいてマッピングを行う時、先ず主ダウンリンクコンポーネントキャリア（またはセル）をマッピングし、後でサブコンポーネントキャリア(またはセル)をマッピングする；またはコンポーネントキャリア(またはセル)のインデックスに基づいてマッピングを行うことが好適である。
【００５３】
サブフレームに基づいてマッピングを行う時、サブフレームの前後順序に基づいてマッピングを行うことが好適である。
【００５４】
端末が、配置されたダウンリンクコンポーネントキャリア(またはセル)の相応するコードワードストリームで物理ダウンリンク共有チャネルを検出しなかった時、相応する肯定／否定応答メッセージは否定応答メッセージNACKに設置されることが好適である。
【００５５】
肯定応答メッセージ(ACK)は二進法の“1”に対応し、否定応答メッセージ(NACK)は二進法の“0”に対応することが好適である。
【００５６】
前記Lビットはチャネルコーディング、スクランブリング、変調、事前変換(DFT変換)、タイムスプレッドを経た後、DFT-s-OFDMの方式を利用して、PUCCHで送信され、または前記Lビットはチャネルコーディング、チャネルインターリービングを経た後、データとマルチプレクシングしてPUSCHで送信されることが好適である。
【００５７】
以下、図面に合わせて好適な実施例について説明する。
【００５８】
好適な実施例1
図2に示すように、FDDシステムにおいて、基地局はUEに4個のダウンリンクコンポーネントキャリア{DL CC#0，DL CC#1，DL CC#2，DL CC#3}を配置し、ここで、DL CC#0/1/3は全て2ビットのACK/NACKをフィードバックしなければならないし、DL CC#2は1ビットのACK/NACKをフィードバックしなければならない。UEは基地局が端末に配置したダウンリンクコンポーネントキャリア(またはセル)数及び配置されたそれぞれのダウンリンクコンポーネントキャリアの伝送モードに基づいてフィードバックする肯定／否定応答メッセージのビット数 
0005873873.tif 000013
=7 を確定する。DL CC#0の二つのコードワードストリームが対応するACK/NACK応答メッセージは{A,B}であり、DL CC#1の二つのコードワードストリームが対応するACK/NACK応答メッセージは{C,D}であり、DL CC#2の対応するACK/NACK応答メッセージは{E}であり、DL CC#3の二つのコードワードストリームが対応するACK/NACK応答メッセージは{F,G}であり、ここでA/B/C/D/E/F ∈ {ACK,NACK}であり、端末が、配置されたダウンリンクコンポーネントキャリア(またはセル)の相応するコードワードストリームで物理ダウンリンク共有チャネルを検出しなかった時、相応する肯定／否定応答メッセージは否定応答メッセージNACKに設置され；コンポーネントキャリアの順序に基づいてマッピングする時、順序に従ってDL CC#0，1，2，3であると仮定する。
【００５９】
端末が先ずコードワードストリーム、後でコンポーネントキャリア(またはセル)の順序に基づいて相応する肯定／否定応答メッセージをLビットにマッピングする時、端末がフィードバックしなければならない7ビットは順序に従って{A,B,C,D,E,F,G}に対応される。
【００６０】
端末が先ずコンポーネントキャリア(またはセル)、後でコードワードストリームの順序に基づいて相応する肯定／否定応答メッセージをLビットにマッピングする時、端末がフィードバックしなければならない7ビットは順序に従って{A,C,E,G,B,D,F}に対応される。
【００６１】
好適な実施例2
図3に示すように、TDDシステムにおいて、基地局はUEに4個のダウンリンクコンポーネントキャリア{DL CC#0，DL CC#1，DL CC#2，DL CC#3}を配置し、ここで、DL CC#0/1/3は全て2ビットのACK/NACKをフィードバックしなければならないし、 DL CC#2は1ビットのACK/NACKをフィードバックしなければならない。同時に、ある一つのアップリンクサブフレームは同時にダウンリンクサブフレーム #n、#n+1及び#n+2全部で3個のダウンリンクサブフレームのACK/NACK応答メッセージをフィードバックしなければならないとか仮定する。もし基地局が端末はコードワードストリーム間の肯定／否定応答メッセージの論理AND演算を行う必要がないと配置した時、UEは基地局が端末に配置したダウンリンクコンポーネントキャリア(またはセル)数、配置されたアップ/ダウンリンク比例関係及び配置されたそれぞれのダウンリンクコンポーネントキャリアの伝送モードに基づいてフィードバックする肯定／否定応答メッセージのビット数
0005873873.tif 000014
=21を確定する。それぞれのコンポーネントキャリアが相応するサブフレームが対応するコードワードストリームでのフィードバック状態は図3に示すようであり、ここでA,B,C, …, U ∈ {ACK,NACK}であり、端末が配置されたダウンリンクコンポーネントキャリア(またはセル)の相応するコードワードストリームで物理ダウンリンク共有チャネルを検出しなかった時、相応する肯定／否定応答メッセージは否定応答メッセージNACKに設置され；コンポーネントキャリアの順序に基づいてマッピングする時、順序に従ってDL CC#0，1，2，3 であると仮定し、サブフレームの順序に基づいてマッピングする時、順序に従ってサブフレーム #n、#n+1、#n+2 であると仮定する。
【００６２】
端末が先ずコードワードストリーム、後でサブフレーム、その後コンポーネントキャリア(またはセル)の順序に基づいて相応する肯定／否定応答メッセージをLビットにマッピングする時、端末がフィードバックしなければならない21ビットは順序に従って{A,B,H,I,O,P,C,D,J,K,Q,R,E,L,S,F,G,M,N,T,U}に対応される。
【００６３】
端末が先ずコードワードストリーム、後でコンポーネントキャリア(またはセル)、その後サブフレームの順序に基づいて相応する肯定／否定応答メッセージをLビットにマッピングする時、端末がフィードバックしなければならない21ビットは順序に従って{A,B,C,D,E,F,G,H,I,J,K,L,M,N,O,P,Q,R,S,T,U}に対応される。
【００６４】
好適な実施例3
図4に示すように、TDDシステムにおいて、基地局はUEに4個のダウンリンクコンポーネントキャリア{DL CC#0、DL CC#1、DL CC#2、DL CC#3}を配置し、ここでDL CC#0/1/3は全て2ビットのACK/NACKをフィードバックしなければならないし、DL CC#2は1ビットのACK/NACKをフィードバックなければならない。同時に、ある一つのアップリンクサブフレームは同時にダウンリンクサブフレーム#n、#n+1及び#n+2全部3個のダウンリンクサブフレームのACK/NACK応答メッセージをフィードバックしなければならないとか仮定する。もし基地局が端末はコードワードストリーム間の肯定／否定応答メッセージの論理AND演算を行う必要があると配置した時、UEは基地局が端末に配置したダウンリンクコンポーネントキャリア(またはセル)数、配置されたアップ/ダウンリンク比例関係及び配置されたそれぞれのダウンリンクコンポーネントキャリアの伝送モードに基づいてフィードバックする肯定／否定応答メッセージのビット数
0005873873.tif 000015
=12を確定する。それぞれのコンポーネントキャリアが相応するサブフレームが対応するコードワードストリームでのフィードバック状態またはコードワードストリーム論理AND演算を行った後のフィードバック状態は図4に示すようであり、ここでA,B,C, …, L ∈{ACK,NACK}であり、端末が、配置されたダウンリンクコンポーネントキャリア(またはセル)の相応するコードワードストリームで物理ダウンリンク共有チャネルを検出しなかった時、相応する肯定／否定応答メッセージは否定応答メッセージNACKに設置され、コンポーネントキャリアの順序に基づいてマッピングする時、順序に従ってDL CC#0，1，2，3であると仮定し、サブフレームの順序に基づいてマッピングする時、順序に従ってサブフレーム#n、#n+1、#n+2であると仮定する。
【００６５】
端末が先ずコードワードストリーム、後でサブフレーム、その後コンポーネントキャリア(またはセル)の順序に基づいて相応する肯定／否定応答メッセージをLビットにマッピングする時、端末がフィードバックしなければならない12ビットは順序に従って{A,E,I,B,F,J,C,G,K,D,H,L}に対応される。
【００６６】
端末が先ずコードワードストリーム、後でコンポーネントキャリア(またはセル)、その後サブフレームの順序に基づいて相応する肯定／否定応答メッセージをL  ビットにマッピングする時、端末がフィードバックしなければならない12ビットは順序に従って{A,B,C,D,E,F,G,H,I,J,K,L }に対応される。
【００６７】
好適な実施例4
図5に示すように、TDDシステムにおいて、基地局はUEに4個のダウンリンクコンポーネントキャリア{DL CC#0、DL CC#1、DL CC#2、DL CC#3}を配置し、ここでDL CC#0/1/3は全て2ビットのACK/NACKをフィードバックしなければならないし、DL CC#2は1ビットのACK/NACKをフィードバックしなければならない。同時に、ある一つのアップリンクサブフレームは同時にダウンリンクサブフレーム#n、#n+1及び#n+2全部3で個のダウンリンクサブフレームのACK/NACK応答メッセージをフィードバックしなければならないとか仮定する。もし基地局が端末はコードワードストリーム間の肯定／否定応答メッセージの論理AND演算を行う必要があると配置した時、UEは基地局が端末に配置したダウンリンクコンポーネントキャリア(またはセル)数、配置されたアップ/ダウンリンク比例関係及び配置されたそれぞれのダウンリンクコンポーネントキャリアの伝送モードに基づいてフィードバックする肯定／否定応答メッセージのビット数
0005873873.tif 000016
=12を確定する。それぞれのコンポーネントキャリアが相応するサブフレームが対応するコードワードストリームでのフィードバック状態またはコードワードストリーム論理AND演算を行った後のフィードバック状態は図5に示すようであり、ここでA,B,C,…,L ∈{ACK,NACK}であり、端末が、配置されたダウンリンクコンポーネントキャリア(またはセル)の相応するコードワードストリームで物理ダウンリンク共有チャネルを検出しなかった時、相応する肯定／否定応答メッセージは否定応答メッセージNACKに設置され；基地局ダウンリンク制御情報（Downlink control Information、以下DCIと略称）のダウンリンクアサインメントインデックス（Downlink Assignment Index、以下DAIと略称）は先ずコンポーネントキャリア後でサブフレームの順序に基づいてPDCCHの数量を累計することを表示すると仮定する時、DAIは2ビットで指示されれば、ここで、2ビットは4種の異なる状態を表示することができる。
【００６８】
第1状態(“00”)は、現在まで累計されたスケジューリングしたPDCCH数は1/5/9/13/17であることを表示し；
【００６９】
第2状態(“01”)は、現在まで累計されたスケジューリングしたPDCCH数は2/6/10/14/18であることを表示し；
【００７０】
第３状態(“10”)は、現在まで累計された既にスケジューリングしたPDCCH数は3/7/11/15/19であることを表示し；
【００７１】
第4状態(“11”)は、現在まで累計された既にスケジューリングしたPDCCH数は4/8/12/16/20であることを表示し；
【００７２】
端末はDAIを検査し、以下の方法によって該DAIが表示する既にスケジューリングしたPDCCH数を確定する。
【００７３】
端末が検出されたDAIは第1状態(“00”)であり、また該状態は第1回に現われた時、端末は該DAIが表示する既にスケジューリングしたPDCCH数量は1であることを確定し；
【００７４】
端末が検出されたDAIは第1状態(“00”)であり、また該状態は第２回に現われた時、端末は該DAIが表示する既にスケジューリングしたPDCCH数量は5であることを確定し；
【００７５】
端末が検出されたDAIは第１状態(“00”)であり、また該状態は第３回に現われた時、端末は該DAIが表示する既にスケジューリングしたPDCCH数量は９であることを確定し；
【００７６】
端末が検出されたDAIは第１状態(“00”)であり、また該状態は第４回に現われた時、端末は該DAIが表示する既にスケジューリングしたPDCCH数量は１３であることを確定し；
【００７７】
端末が検出されたDAIは第１状態(“00”)であり、また該状態は第５回に現われた時、端末は該DAIが表示する既にスケジューリングしたPDCCH数量は１７であることを確定し；
【００７８】
同様に、端末が検出されたDAIは第２状態(“01”)であり、また該状態は第1/2/3/4/5回に現われた時、端末は該DAIが表示する既にスケジューリングしたPDCCH数量は2/6/10/14/18であることを確定し;
【００７９】
同様に、端末が検出されたDAIは第３状態(“10”)であり、また該状態は第1/2/3/4/5回に現われた時、端末は該DAIが表示する既にスケジューリングしたPDCCH数量は3/7/11/15/19であることを確定し;
【００８０】
同様に, 端末が検出されたDAIは第４状態(“11”)であり、また該状態は第1/2/3/4/5回に現われた時、端末は該DAIが表示する既にスケジューリングしたPDCCH数量は4/8/12/16/20であることを確定する;
【００８１】
従って、端末が各コンポーネントキャリアの相応するサブフレームで検出したDAIの値は図５に示すようである。
【００８２】
端末はDAIに基づいて、相応する肯定／否定応答メッセージを
0005873873.tif 000017
が対応するビット位置にマッピングし、端末がフィードバックする12ビットは順序に従って{A,B,C,D,E,F,G,H,I,J,K,L }に対応される。
【００８３】
好適な実施例5
図6に示すように、TDDシステムにおいて、基地局はUEに4個のダウンリンクコンポーネントキャリア{DL CC#0、DL CC#1、DL CC#2、DL CC#3}を配置した、ここでDL CC#0/1/3は全て2ビットのACK/NACKをフィードバックしなければならないし、DL CC#2は1ビットのACK/NACKをフィードバックしなければならない。同時、ある一つのアップリンクサブフレームは同時にダウンリンクサブフレーム#n、#n+1及び#n+2全部3個のダウンリンクサブフレームのACK/NACK応答メッセージをフィードバックしなければならないとか仮定する。もし基地局が端末はコードワードストリーム間の肯定／否定応答メッセージの論理AND演算を行う必要があると配置した時、UEは基地局が端末に配置したダウンリンクコンポーネントキャリア(またはセル)数、配置されたアップ/ダウンリンク比例関係及び配置さらたそれぞれのダウンリンクコンポーネントキャリアの伝送モードに基づいてフィードバックする肯定／否定応答メッセージのビット数
0005873873.tif 000018
=12を確定する。それぞれのコンポーネントキャリアが相応するサブフレームが対応するコードワードストリームでのフィードバック状態またはコードワードストリーム論理AND演算を行った後のフィードバック状態は図6に示すようであり、ここでA,B,C, …, L ∈{ACK,NACK}であり、端末が、配置されたダウンリンクコンポーネントキャリア(またはセル)の相応するコードワードストリームで物理ダウンリンク共有チャネルを検出しなかった時、相応する肯定／否定応答メッセージは否定応答メッセージNACKに設置される。
【００８４】
基地局側DAIが表示する意味と端末側がDAIに対する解釈は好適な実施例4と同じである。
【００８５】
好適な実施例4と異なる場所は、好適な実施例4では配置された全てのダウンリンクサブフレーム上の全てのコンポーネントキャリアが全部スケジューリングされているが、本実施例では配置された一部分のサブフレーム上のダウンリンクコンポーネントキャリアがスケジューリングされていないということである。図6に示すようにサブフレーム#n上のDL  CC#2はスケジューリングされていないし、サブフレーム#n+1のDL  CC#1、サブフレーム#n+2のDL  CC#2と3は全部スケジューリングされていない。この時、端末はDAIに基づいて、相応する肯定／否定応答メッセージを
0005873873.tif 000019
が対応するビット位置にマッピングし、端末がフィードバックする12ビットは順序に従って{A,B,D,E,G,H,I,J,X,X,X,X}に対応する。ここで最後の4ビットはダウンリンクサブフレームの相応するコンポーネントキャリアのACK/NACK応答メッセージがどうマッピングされるかと関係がない、その原因は該ACK/NACK応答メッセージ達は全部NACKであるからである。
【００８６】
好適な実施例6
図7に示すように、TDDシステムにおいて、基地局はUEに4個のダウンリンクコンポーネントキャリア{DL CC#0、DL CC#1、DL CC#2、DL CC#3}を配置し、ここでDL CC#0/1/3は全て2ビットのACK/NACKをフィードバックしなければならないし、DL CC#2は1ビットのACK/NACKをフィードバックしなければならない。同時に、ある一つのアップリンクサブフレームは同時にダウンリンクサブフレーム#n、#n+1及び#n+2全部で3個のダウンリンクサブフレームのACK/NACK応答メッセージをフィードバックしなければならないとか仮定する。もし基地局が端末はコードワードストリーム間の肯定／否定応答メッセージの論理AND演算を行う必要があると配置した時、UEは基地局が端末に配置したダウンリンクコンポーネントキャリア(またはセル)数、配置されたアップ/ダウンリンク比例関係及び配置されたそれぞれのダウンリンクコンポーネントキャリアの伝送モードに基づいてフィードバックする肯定／否定応答メッセージのビット数
0005873873.tif 000020
=12を確定する。それぞれのコンポーネントキャリアが相応するサブフレームが対応するコードワードストリームでのフィードバック状態またはコードワードストリーム論理AND演算を行った後のフィードバック状態は図７に示すようであり、ここでA,B,C, …, L ∈{ACK,NACK}であり、端末が、配置されたダウンリンクコンポーネントキャリア(またはセル)の相応するコードワードストリームで物理ダウンリンク共有チャネルを検出しなかった時、相応する肯定／否定応答メッセージは否定応答メッセージNACKに設置される。
【００８７】
基地局側DAIが表示する意味と端末側がDAIに対する解釈は好適な実施例4と同じである。
【００８８】
好適な実施例4と異なる場所は、好適な実施例4では配置された全てのダウンリンクサブフレーム上の全てのコンポーネントキャリアが全部スケジューリングされているが、本実施例では配置された一部分のサブフレーム上のダウンリンクコンポーネントキャリアはスケジューリングされていないということである。図７に示すように、サブフレーム#n上のDL CC#2と3はスケジューリングされていないし、サブフレーム#n+1のDL CC#1、サブフレーム#n+2のDL  CC#2と3は全部スケジューリングされていない。該好適な実施例と好適な実施例5との異なる場所は、端末でPDCCH損失のエラーが発生したということである。即ち一部分のサブフレームのコンポーネントキャリアで基地局がPDSCHをスケジューリングしたのに端末が相応するPDCCHを検出しなかった原因でPDSCHに対して検査することができない。こんなエラーはDAIに基づいて発見することができる。具体的に説明すると、図7に示すように、端末が検出した全てのダウンリンクサブフレームが対応するダウンリンクコンポーネントキャリア上のDAIは順序に従って1,2,4,5,6,7,8であり、端末は検出したDAIに基づいて、DAIが3に対応されるPDCCHが損失されたことを確定することができる。だからDAIが3である対応するLビット中の第2ビット(0から始まる)の対応する状態はNACKに設置される。この時端末はDAIに基づいて、相応する肯定／否定応答メッセージを
0005873873.tif 000021
が対応するビット位置にマッピングし、端末がフィードバックする12ビットは順序に従って{A,B,X,E,G,H,I,J,X，X,X,X}に対応する。ここでフィードバックビットにおいて第2ビットがどのダウンリンクサブフレームのどのダウンリンクコンポーネントキャリアの状態と対応するかは重要でない、その原因は対応するACK/NACK応答メッセージは全部NACKであるからであり、また最後の4ビットはダウンリンクサブフレームの相応するコンポーネントキャリアのACK/NACK応答メッセージがどうマッピングされるかも重要でないが、その原因は該ACK/NACK応答メッセージ達は全部NACKであるからである。
【００８９】
もう一つの実施例ではまた一種の端末を提供し、該端末は前記実施例及び好適な実施方式を実現するように設置される。既に説明したものについては、ここでは重複して説明せず、そして以下には、該端末のブロックについてのみ説明する。
【００９０】
図8は本発明の実施例に係わる端末のブロック図であり、図8に示すように、該端末は確定ブロック82とマッピングブロック84を含むものであり、以下これについて説明する。
【００９１】
確定ブロック82は、予定条件に基づいてフィードバックする肯定／否定応答メッセージのビット数Lを確定するように設置され、ここで、予定条件は基地局が端末に配置したダウンリンクコンポーネントキャリアまたはセル数、それぞれのダウンリンクコンポーネントキャリアの伝送モードのうち少なくとも一つを含む；マッピングブロック84は確定ブロック82に接続され、そしてACK/NACK応答メッセージをL個ビットにマッピングするように設置される。
【００９２】
以下の実施例はACK/NACKがPUCCH format 1bでチャネル選択を利用して送信することに適用される。
【００９３】
図9は本発明の実施例に係わる肯定／否定応答メッセージのマッピング方法を示すもう一つのフローチャートであり、図9に示すように、該プロセスは以下のようなステップを含む。
【００９４】
ステップS902では、端末は以下の少なくとも一つに基づいてコードワードストリームと対応するACK/NACK応答メッセージをチャネル選択マッピングテーブルにマッピングする。ダウンリンクコンポーネントキャリアまたはセルの主/サブ、ダウンリンクコンポーネントキャリアまたはセルのコードワードストリームの順序、ダウンリンクコンポーネントキャリアまたはセルの含むコードワードストリームの数量である。
【００９５】
ステップS904では、物理アップリンク制御チャネルフォーマットPUCCH format 1bでチャネル選択を利用してACK/NACK応答メッセージを送信する。
【００９６】
端末は基地局が彼に配置したダウンリンクコンポーネントキャリアまたはセルの数量Mに基づいてACK/NACK応答メッセージをチャネル選択マッピングテーブルにマッピングすることが好適である。
【００９７】
端末はダウンリンクコンポーネントキャリアまたはセルの主/サブとダウンリンクコンポーネントキャリアまたはセルのコードワードストリームの順序、またはダウンリンクコンポーネントキャリアまたはセルの含むコードワードストリームの数量に基づいてACK/NACK応答メッセージをチャネル選択マッピングテーブルにマッピングすることが好適である。
【００９８】
以下、周波数分割デュプレクスシステムと時分割デュプレクスシステムからそれぞれ説明する。
【００９９】
周波数分割デュプレクスシステムにおいて、M=2であるチャネル選択マッピングテーブルの場合、主ダウンリンクコンポーネントキャリア(またはセル)の一つ目のコードワードストリームの肯定／否定応答メッセージは一つ目のHARQ-ACKにマッピングされ、サブダウンリンクコンポーネントキャリア(またはセル)の一つ目のコードワードストリームの肯定／否定応答メッセージは二つ目のHARQ-ACKにマッピングされる(例えば、2CC,シングルコードワードストリームの場合に適用される)。
【０１００】
M=3であるチャネル選択マッピングテーブル場合、主ダウンリンクコンポーネントキャリア(またはセル)の一つ目のコードワードストリームの肯定／否定応答メッセージは一つ目のHARQ-ACKにマッピングされ、一つ目のサブダウンリンクコンポーネントキャリア(またはセル)の一つ目のコードワードストリームの肯定／否定応答メッセージは二つ目のHARQ-ACKにマッピングされ;二つ目のサブダウンリンクコンポーネントキャリア(またはセル)の一つ目のコードワードストリームの肯定／否定応答メッセージは三つ目のHARQ-ACKにマッピングされる(例えば、3CC、シングルコードワードストリームの場合に適用される)。
【０１０１】
または主ダウンリンクコンポーネントキャリア(またはセル)の一つ目のコードワードストリームの肯定／否定応答メッセージは一つ目のHARQ-ACKにマッピングされ、主ダウンリンクコンポーネントキャリア(またはセル)の二つ目のコードワードストリームの肯定／否定応答メッセージは二つ目のHARQ-ACKにマッピングされ；サブダウンリンクコンポーネントキャリア(またはセル)の一つ目のコードワードストリームの肯定／否定応答メッセージは三つ目のHARQ-ACKにマッピングされる(例えば、2CC, PCC: MIMO, SCC: SIMOの場合に適用される)。
【０１０２】
または主ダウンリンクコンポーネントキャリア(またはセル)の一つ目のコードワードストリームの肯定／否定応答メッセージは一つ目のHARQ-ACKにマッピングされ、サブダウンリンクコンポーネントキャリア(またはセル)の一つ目のコードワードストリームの肯定／否定応答メッセージは二つ目のHARQ-ACKにマッピングされ；主ダウンリンクコンポーネントキャリア(またはセル)の二つ目のコードワードストリームの肯定／否定応答メッセージは三つ目のHARQ-ACKにマッピングされる(例えば、2CC, PCC: MIMO, SCC: SIMOの場合に適用される)。
【０１０３】
または主ダウンリンクコンポーネントキャリア(またはセル)の一つ目のコードワードストリームの肯定／否定応答メッセージは一つ目のHARQ-ACKにマッピングされ、サブダウンリンクコンポーネントキャリア(またはセル)の一つ目のコードワードストリームの肯定／否定応答メッセージは二つ目のHARQ-ACKにマッピングされ；サブダウンリンクコンポーネントキャリア(またはセル)の二つ目のコードワードストリームの肯定／否定応答メッセージは三つ目のHARQ-ACKにマッピングされる(例えば、2CC, PCC: MIMO, SCC: SIMOの場合に適用される)。
【０１０４】
または二つのコードワードストリームを含むコンポーネントキャリアまたはセルの肯定／否定応答メッセージはそれぞれHARQ-ACK(0)(即ち一つ目のHARQ-ACK)とHARQ-ACK(1)(即ち二つ目のHARQ-ACK)にマッピングされ、一つのコードワードストリームだけ含むコンポーネントキャリア(セル)の肯定／否定応答メッセージはHARQ-ACK(2)(三つ目のHARQ-ACK)にマッピングされる。
【０１０５】
M=4であるチャネル選択マッピングテーブルの場合、主ダウンリンクコンポーネントキャリア(またはセル)の一つ目のコードワードストリームの肯定／否定応答メッセージは一つ目のHARQ-ACKにマッピングされ、一つ目のサブダウンリンクコンポーネントキャリア(またはセル)の一つ目のコードワードストリームの肯定／否定応答メッセージは三つ目のHARQ-ACKにマッピングされ、二つ目のサブダウンリンクコンポーネントキャリア(またはセル)の一つ目のコードワードストリームの肯定／否定応答メッセージは三つ目のHARQ-ACKにマッピングされ、三つ目のサブダウンリンクコンポーネントキャリア(またはセル)の一つ目のコードワードストリームの肯定／否定応答メッセージは四つ目のHARQ-ACKにマッピングされる(例えば、4CC,全部SIMOの場合に適用される)。
【０１０６】
または主ダウンリンクコンポーネントキャリア(セル)の一つ目のコードワードストリームの肯定／否定応答メッセージは一つ目のHARQ-ACKにマッピングされ、主ダウンリンクコンポーネントキャリア(セル)の二つ目のコードワードストリームの肯定／否定応答メッセージは二つ目のHARQ-ACKにマッピングされ、一つ目のサブダウンリンクコンポーネントキャリア(またはセル)の一つ目のコードワードストリームの肯定／否定応答メッセージは三つ目のHARQ-ACKにマッピングされ、二つ目のサブダウンリンクコンポーネントキャリア(またはセル)の一つ目のコードワードストリームの肯定／否定応答メッセージは四つ目のHARQ-ACKにマッピングされる(例えば、3CC, PCC: MIMO, SCC1〜2: SIMOの場合に適用される)。
【０１０７】
または主ダウンリンクコンポーネントキャリア(またはセル)の一つ目のコードワードストリームの肯定／否定応答メッセージは一つ目のHARQ-ACKにマッピングされ、一つ目のサブダウンリンクコンポーネントキャリア(またはセル)の一つ目のコードワードストリームの肯定／否定応答メッセージは二つ目のHARQ-ACKにマッピングされ、二つ目のサブダウンリンクコンポーネントキャリア(またはセル)の一つ目のコードワードストリームの肯定／否定応答メッセージは三つ目のHARQ-ACKにマッピングされ、主ダウンリンクコンポーネントキャリア(またはセル)の二つ目のコードワードストリームの肯定／否定応答メッセージは四つ目のHARQ-ACKにマッピングされる(例えば、3CC, PCC: MIMO, SCC1〜2: SIMOの場合に適用される)。
【０１０８】
または主ダウンリンクコンポーネントキャリア(またはセル)の一つ目のコードワードストリームの肯定／否定応答メッセージは一つ目のHARQ-ACKにマッピングされ、一つ目のサブダウンリンクコンポーネントキャリア(またはセル)の一つ目のコードワードストリームの肯定／否定応答メッセージは二つ目のHARQ-ACKにマッピングされ、一つ目のサブダウンリンクコンポーネントキャリア(またはセル)の二つ目のコードワードストリームの肯定／否定応答メッセージは三つ目のHARQ-ACKにマッピングされ、二つ目のサブダウンリンクコンポーネントキャリア(またはセル)の一つ目のコードワードストリームの肯定／否定応答メッセージは四つ目のHARQ-ACKにマッピングされる(例えば、3CC, PCC: SIMO, SCC1: MIMO, SCC2: SIMOの場合に適用される)。
【０１０９】
または主ダウンリンクコンポーネントキャリア(またはセル)の一つ目のコードワードストリームの肯定／否定応答メッセージは一つ目のHARQ-ACKにマッピングされ、一つ目のサブダウンリンクコンポーネントキャリア(またはセル)の一つ目のコードワードストリームの肯定／否定応答メッセージは二つ目のHARQ-ACKにマッピングされ、一つ目のサブダウンリンクコンポーネントキャリア(またはセル)の二つ目のコードワードストリームの肯定／否定応答メッセージは三つ目のHARQ-ACKにマッピングされ、二つ目のサブダウンリンクコンポーネントキャリア(またはセル)の一つ目のコードワードストリームの肯定／否定応答メッセージは四つ目のHARQ-ACKにマッピングされる(例えば、3CC, PCC: SIMO, SCC1: MIMO, SCC2: SIMOの場合に適用される)。
【０１１０】
または主ダウンリンクコンポーネントキャリア(またはセル)の一つ目のコードワードストリームの肯定／否定応答メッセージは一つ目のHARQ-ACKにマッピングされ、一つ目のサブダウンリンクコンポーネントキャリア(またはセル)の一つ目のコードワードストリームの肯定／否定応答メッセージは二つ目のHARQ-ACKにマッピングされ、二つ目のサブダウンリンクコンポーネントキャリア(またはセル)の一つ目のコードワードストリームの肯定／否定応答メッセージは三つ目のHARQ-ACKにマッピングされ、一つ目のサブダウンリンクコンポーネントキャリア(またはセル)の二つ目のコードワードストリームの肯定／否定応答メッセージは四つ目のHARQ-ACKにマッピングされる(例えば、3CC, PCC: SIMO, SCC1: MIMO, SCC2: SIMOの場合に適用される)。
【０１１１】
または主ダウンリンクコンポーネントキャリア(またはセル)の一つ目のコードワードストリームの肯定／否定応答メッセージは一つ目のHARQ-ACKにマッピングされ、一つ目のサブダウンリンクコンポーネントキャリア(またはセル)の一つ目のコードワードストリームの肯定／否定応答メッセージは二つ目のHARQ-ACKにマッピングされ、二つ目のサブダウンリンクコンポーネントキャリア(またはセル)の一つ目のコードワードストリームの肯定／否定応答メッセージは三つ目のHARQ-ACKにマッピングされ、二つ目のサブダウンリンクコンポーネントキャリア(またはセル)の二つ目のコードワードストリームの肯定／否定応答メッセージは四つ目のHARQ-ACKにマッピングされる(例えば、3CC, PCC: SIMO, SCC1: MIMO, SCC2: SIMOの場合に適用される)。
【０１１２】
二つのコードワードストリームを含むコンポーネントキャリア(またはセル)の肯定／否定応答メッセージはHARQ-ACK(0)とHARQ-ACK(1)にそれぞれマッピングされ、一つのコードワードストリームだけ含むコンポーネントキャリア(またはセル)の肯定／否定応答メッセージはHARQ-ACK(2)とHARQ-ACK(3)にそれぞれマッピングされる。
【０１１３】
または主ダウンリンクコンポーネントキャリア(またはセル)の一つ目のコードワードストリームの肯定／否定応答メッセージは一つ目のHARQ-ACKにマッピングされ、主ダウンリンクコンポーネントキャリア(またはセル)の二つ目のコードワードストリームの肯定／否定応答メッセージは二つ目のHARQ-ACKにマッピングされ、一つ目のサブダウンリンクコンポーネントキャリア(またはセル)の一つ目のコードワードストリームの肯定／否定応答メッセージは三つ目のHARQ-ACKにマッピングされ、一つ目のサブダウンリンクコンポーネントキャリア(またはセル)の二つ目のコードワードストリームの肯定／否定応答メッセージは四つ目のHARQ-ACKにマッピングされる(例えば、2CC, PCC: MIMO, SCC1: MIMOの場合に適用される)。
【０１１４】
または主ダウンリンクコンポーネントキャリア(またはセル)の一つ目のコードワードストリームの肯定／否定応答メッセージは一つ目のHARQ-ACKにマッピングされ、一つ目のサブダウンリンクコンポーネントキャリア(またはセル)の一つ目のコードワードストリームの肯定／否定応答メッセージは二つ目のHARQ-ACKにマッピングされ、主ダウンリンクコンポーネントキャリア(またはセル)の二つ目のコードワードストリームの肯定／否定応答メッセージは三つ目のHARQ-ACKにマッピングされ、一つ目のサブダウンリンクコンポーネントキャリア(またはセル)の二つ目のコードワードストリームの肯定／否定応答メッセージは四つ目のHARQ-ACKにマッピングされる(例えば、2CC, PCC: MIMO, SCC1: MIMOの場合に適用される)。
【０１１５】
チャネル選択が周波数分割デュプレクスシステムにおいての一つの特点はspatial bundlingがないことであるが、時分割デュプレクスシステムにおいてはspatial bundlingを行わなければならず、さもなければ使うことができない。
【０１１６】
時分割デュプレクスシステムにおいて、M=2であるチャネル選択マッピングテーブルの場合、主ダウンリンクコンポーネントキャリア(またはセル)の一つ目のコードワードストリームの肯定／否定応答メッセージまたは一つ二つ目のコードワードストリームの肯定／否定応答メッセージを論理AND演算した後の結果は一つ目のHARQ-ACKにマッピングされ、サブダウンリンクコンポーネントキャリア(またはセル)の一つ目のコードワードストリームの肯定／否定応答メッセージまたは一つ二つ目のコードワードストリームの肯定／否定応答メッセージを論理AND演算した後の結果は二つ目のHARQ-ACKにマッピングされる(例えば、二つのCC, 一つのサブフレームが一つのダウンリンクサブフレームに対応する場合に適用される)。
【０１１７】
M=3であるチャネル選択マッピングテーブルの場合、主ダウンリンクコンポーネントキャリア(セル)の一つ目のコードワードストリームの肯定／否定応答メッセージまたは一つ二つ目のコードワードストリームの肯定／否定応答メッセージを論理AND演算した後の結果は一つ目のHARQ-ACKにマッピングされ、一つ目のサブダウンリンクコンポーネントキャリア(またはセル)の一つ目のコードワードストリームの肯定／否定応答メッセージまたは一つ二つ目のコードワードストリームの肯定／否定応答メッセージを論理AND演算した後の結果は二つ目のHARQ-ACKにマッピングされ；二つ目のサブダウンリンクコンポーネントキャリア(またはセル)の一つ目のコードワードストリームの肯定／否定応答メッセージまたは一つ二つ目のコードワードストリームの肯定／否定応答メッセージを論理AND演算した後の結果は三つ目のHARQ-ACKにマッピングされる(例えば、三つのCC,一つのサブフレームが一つのダウンリンクサブフレームに対応する場合に適用される)。
【０１１８】
M=4であるチャネル選択マッピングテーブルの場合、主ダウンリンクコンポーネントキャリア(またはセル)の一つ目のコードワードストリームの肯定／否定応答メッセージまたは一つ二つ目のコードワードストリームの肯定／否定応答メッセージを論理AND演算した後の結果は一つ目のHARQ-ACKにマッピングされ、一つ目のサブダウンリンクコンポーネントキャリア(またはセル)の一つ目のコードワードストリームの肯定／否定応答メッセージまたは一つ二つ目のコードワードストリームの肯定／否定応答メッセージを論理AND演算した後の結果は二つ目のHARQ-ACKにマッピングされ；二つ目のサブダウンリンクコンポーネントキャリア(またはセル)の一つ目のコードワードストリームの肯定／否定応答メッセージまたは一つ二つ目のコードワードストリームの肯定／否定応答メッセージを論理AND演算した後の結果は三つ目のHARQ-ACKにマッピングされ；三つ目のサブダウンリンクコンポーネントキャリア(またはセル)の一つ目のコードワードストリームの肯定／否定応答メッセージまたは一つ二つ目のコードワードストリームの肯定／否定応答メッセージを論理AND演算した後の結果は四つ目のHARQ-ACKにマッピングされる(例えば、四つのCC,一つのサブフレームが一つのダウンリンクサブフレームに対応する場合に適用される)。
【０１１９】
または主ダウンリンクコンポーネントキャリア(またはセル)が一つ目のサブフレームでの一つ目のコードワードストリームの肯定／否定応答メッセージまたは一つ二つ目のコードワードストリームの肯定／否定応答メッセージを論理AND演算した後の結果は一つ目のHARQ-ACKにマッピングされ、サブダウンリンクコンポーネントキャリア(またはセル)が一つ目のサブフレームでの一つ目のコードワードストリームの肯定／否定応答メッセージまたは一つ二つ目のコードワードストリームの肯定／否定応答メッセージを論理AND演算した後の結果は二つ目のHARQ-ACKにマッピングされ、主ダウンリンクコンポーネントキャリア(またはセル)が二つ目のサブフレームでの一つ目のコードワードストリームの肯定／否定応答メッセージまたは一つ二つ目のコードワードストリームの肯定／否定応答メッセージを論理AND演算した後の結果は三つ目のHARQ-ACKにマッピングされ、サブダウンリンクコンポーネントキャリア(またはセル)が二つ目のサブフレームでの一つ目のコードワードストリームの肯定／否定応答メッセージまたは一つ二つ目のコードワードストリームの肯定／否定応答メッセージを論理AND演算した後の結果は四つ目のHARQ-ACKにマッピングされる(例えば、二つのCC、二つのサブフレームの場合、先ずCC、後でサブフレームの場合に適用される)。
【０１２０】
または主ダウンリンクコンポーネントキャリア(またはセル)が一つ目のサブフレームでの一つ目のコードワードストリームの肯定／否定応答メッセージまたは一つ二つ目のコードワードストリームの肯定／否定応答メッセージを論理AND演算した後の結果は一つ目のHARQ-ACKにマッピングされ、主ダウンリンクコンポーネントキャリア(またはセル)が二つ目のサブフレームでの一つ目のコードワードストリームの肯定／否定応答メッセージまたは一つ二つ目のコードワードストリームの肯定／否定応答メッセージを論理AND演算した後の結果は二つ目のHARQ-ACKにマッピングされ、サブダウンリンクコンポーネントキャリア(またはセル)が一つ目のサブフレームでの一つ目のコードワードストリームの肯定／否定応答メッセージまたは一つ二つ目のコードワードストリームの肯定／否定応答メッセージを論理AND演算した後の結果は三つ目のHARQ-ACKにマッピングされ、サブダウンリンクコンポーネントキャリア(またはセル)が二つ目のサブフレームでの一つ目のコードワードストリームの肯定／否定応答メッセージまたは一つ二つ目のコードワードストリームの肯定／否定応答メッセージを論理AND演算した後の結果は四つ目のHARQ-ACKにマッピングされる(例えば、二つのCC、二つのサブフレームの場合、先ずサブフレーム、後でCCの場合に適用される)。
【０１２１】
前記好適な実施方式において、サブダウンリンクコンポーネントキャリア(またはセル)は事前に定義した順序に従って順序配列を行うことができ、それによって一つ目のダウンリンクコンポーネントキャリア(またはセル)、二つ目のダウンリンクコンポーネントキャリア(またはセル)、三つ目のダウンリンクコンポーネントキャリア(またはセル)を得る。例えば、事前に定義した順序はキャリアインデックスに基づいて獲得できるし、またはキャリア間のスケジューリングが有効である時、キャリアインデックスフィールド（Carrier Index Field，以下CIFと略称）の値に基づいて獲得できる。
【０１２２】
以下、図面に合わせて好適な実施例について説明する。
【０１２３】
好適な実施例7
図10に示すように、FDDシステムにおいて、基地局が端末はPUCCH format 1bとチャネル選択を結合する方式を利用してACK/NACK応答メッセージのフィードバックを行うと配置した時、基地局は端末にDL PCCとSCCを配置し、また全てがシングルコードワードストリーム伝送モードであると仮定すれば、端末はフィードバックする時、M=2であるマッピングテーブルを利用してACK/NACK応答メッセージのフィードバックを行い、PCCの一つ目のコードワードストリームの肯定／否定応答メッセージはHARQ-ACK(0)にマッピングされ、SCCの一つ目のコードワードストリームの肯定／否定応答メッセージはHARQ-ACK(1)にマッピングされる。
【０１２４】
好適な実施例8
図11に示すように、FDDシステムにおいて、基地局が端末はPUCCH format 1bとチャネル選択を結合する方式を利用してACK/NACK応答メッセージのフィードバックを行うと配置した時、基地局は端末にDL PCC、SCC#1とSCC#2を配置し、また全てがシングルコードワードストリーム伝送モードであると仮定すれば、端末はフィードバックする時、M=3であるマッピングテーブルを利用してACK/NACK応答メッセージのフィードバックを行い、PCCの一つ目のコードワードストリームの肯定／否定応答メッセージはHARQ-ACK(0)にマッピングされ、SCC#1の一つ目のコードワードストリームの肯定／否定応答メッセージはHARQ-ACK(1)にマッピングされ、SCC#2の一つ目のコードワードストリームの肯定／否定応答メッセージはHARQ-ACK(2)にマッピングされる。
【０１２５】
ここで二つのサブダウンリンクコンポーネントキャリアはキャリアインデックスの順序に従って順序配列を行う、それによって一つ目のサブダウンリンクコンポーネントキャリア(またはセル)SCC#1と二つ目のサブダウンリンクコンポーネントキャリア(またはセル)SCC#2を得る。
【０１２６】
好適な実施例9
図12に示すように、FDDシステムにおいて、基地局が端末はPUCCH format 1bとチャネル選択を結合する方式を利用してACK/NACK応答メッセージのフィードバックを行うと配置した時、基地局が端末にDL PCCとSCCを配置し、またここでPCCはダブルコードワードストリーム伝送モードであり、SCCはシングルコードワードストリーム伝送モードであると仮定すれば、端末はフィードバックする時、M=3であるマッピングテーブルを利用してACK/NACK応答メッセージのフィードバックを行い、PCCの一つ目のコードワードストリームの肯定／否定応答メッセージはHARQ-ACK(0)にマッピングされ、PCCの二つ目のコードワードストリームの肯定／否定応答メッセージはHARQ-ACK(1)にマッピングされ、SCCの一つ目のコードワードストリームの肯定／否定応答メッセージはHARQ-ACK(2)にマッピングされる。
【０１２７】
またはPCCの一つ目のコードワードストリームの肯定／否定応答メッセージはHARQ-ACK(0)にマッピングされ、SCCの一つ目のコードワードストリームの肯定／否定応答メッセージはHARQ-ACK(1)にマッピングされ、PCCの二つ目のコードワードストリームの肯定／否定応答メッセージはHARQ-ACK(2)にマッピングされる。
【０１２８】
好適な実施例10
図13に示すように、FDDシステムにおいて、基地局が端末はPUCCH format 1bとチャネル選択を結合する方式を利用してACK/NACK応答メッセージのフィードバックを行うと配置した時、基地局が端末にDL PCCとSCCを配置し、またここでPCCはシングルコードワードストリーム伝送モードであり、SCCはダブルコードワードストリーム伝送モードであると仮定すれば、端末はフィードバックする時、M=3であるマッピングテーブルを利用してACK/NACK応答メッセージのフィードバックを行い、PCCの一つ目のコードワードストリームの肯定／否定応答メッセージはHARQ-ACK(0)にマッピングされ、SCCの一つ目のコードワードストリームの肯定／否定応答メッセージはHARQ-ACK(1)にマッピングされ、SCCの二つ目のコードワードストリームの肯定／否定応答メッセージはHARQ-ACK(2)にマッピングされる。
【０１２９】
好適な実施例11
図14に示すように、FDDシステムにおいて、基地局が端末はPUCCH format 1bとチャネル選択を結合する方式を利用してACK/NACK応答メッセージのフィードバックを行うと配置した時、基地局が端末にDL CC、SCC#1、SCC#2とSCC#3を配置し、また全てがシングルコードワードストリーム伝送モードであると仮定すれば、端末はフィードバックする時、M=4であるマッピングテーブルを利用してACK/NACK応答メッセージのフィードバックを行い、PCCの一つ目のコードワードストリームの肯定／否定応答メッセージはHARQ-ACK(0)にマッピングされ、SCC#1の一つ目のコードワードストリームの肯定／否定応答メッセージはHARQ-ACK(1)にマッピングされ、SCC#2の一つ目のコードワードストリームの肯定／否定応答メッセージはHARQ-ACK(2)にマッピングされ、SCC#3の一つ目のコードワードストリームの肯定／否定応答メッセージはHARQ-ACK(3)にマッピングされる。
【０１３０】
ここで三つのサブダウンリンクコンポーネントキャリアはキャリアインデックスの順序に従って順序配列を行う、それによって一つ目のサブダウンリンクコンポーネントキャリア(またはセル)SCC#1と二つ目のサブダウンリンクコンポーネントキャリア(またはセル)SCC#2及び三つ目のサブダウンリンクコンポーネントキャリア(またはセル)SCC#3を得る。
【０１３１】
好適な実施例12
図15に示すように、FDDシステムにおいて、基地局が端末はPUCCH format 1bとチャネル選択を結合する方式を利用してACK/NACK応答メッセージのフィードバックを行うと配置した時、基地局が端末にDL PCCとSCC#1とSCC#2を配置し、またPCCはダブルコードワードストリーム伝送モードであり、SCC#1と2は全部シングルコードワードストリーム伝送モードであると仮定すれば、端末はフィードバックする時、M=4であるマッピングテーブルを利用してACK/NACK応答メッセージのフィードバックを行い、PCCの一つ目のコードワードストリームの肯定／否定応答メッセージはHARQ-ACK(0)にマッピングされ、PCCの二つ目のコードワードストリームの肯定／否定応答メッセージはHARQ-ACK(1)にマッピングされ、SCC#1の一つ目のコードワードストリームの肯定／否定応答メッセージはHARQ-ACK(2)にマッピングされ、SCC#2の一つ目のコードワードストリームの肯定／否定応答メッセージはHARQ-ACK(3)にマッピングされる。
【０１３２】
またはPCCの一つ目のコードワードストリームの肯定／否定応答メッセージはHARQ-ACK(0)にマッピングされ、SCC#1の一つ目のコードワードストリームの肯定／否定応答メッセージはHARQ-ACK(1)にマッピングされ、SCC#2の一つ目のコードワードストリームの肯定／否定応答メッセージはHARQ-ACK(2)にマッピングされ、PCCの二つ目のコードワードストリームの肯定／否定応答メッセージはHARQ-ACK(3)にマッピングされる。
【０１３３】
ここで二つのサブダウンリンクコンポーネントキャリアはキャリアインデックスの順序に従って順序配列を行う、それによって一つ目のサブダウンリンクコンポーネントキャリア(またはセル)SCC#1と二つ目のサブダウンリンクコンポーネントキャリア(またはセル)SCC#2を得る。
【０１３４】
好適な実施例13
図16に示すように、FDDシステムにおいて、基地局が端末はPUCCH format 1bとチャネル選択を結合する方式を利用してACK/NACK応答メッセージのフィードバックを行うと配置した時、基地局が端末にDL PCCとSCC#1とSCC#2を配置し、またPCCはシングルコードワードストリーム伝送モードであり、SCC#1はダブルコードワードストリーム伝送モードであり、SCC#2はシングルコードワードストリーム伝送モードであると仮定すれば、端末はフィードバックする時、M=4であるマッピングテーブルを利用してACK/NACK応答メッセージのフィードバックを行い、PCCの一つ目のコードワードストリームの肯定／否定応答メッセージはHARQ-ACK(0)にマッピングされ、SCC#1の一つ目のコードワードストリームの肯定／否定応答メッセージはHARQ-ACK(1)にマッピングされ、SCC#1の二つ目のコードワードストリームの肯定／否定応答メッセージはHARQ-ACK(2)にマッピングされ、SCC#2の一つ目のコードワードストリームの肯定／否定応答メッセージはHARQ-ACK(3)にマッピングされる。
【０１３５】
またはPCCの一つ目のコードワードストリームの肯定／否定応答メッセージはHARQ-ACK(0)にマッピングされ、SCC#1の一つ目のコードワードストリーム肯定／否定応答メッセージはHARQ-ACK(1)にマッピングされ、SCC#2の一つ目のコードワードストリームの肯定／否定応答メッセージはHARQ-ACK(2)にマッピングされ、SCC#1の二つ目のコードワードストリームの肯定／否定応答メッセージはHARQ-ACK(3)にマッピングされる。
【０１３６】
ここで二つのサブダウンリンクコンポーネントキャリアはキャリアインデックスの順序に従って順序配列を行う、それによって一つ目のサブダウンリンクコンポーネントキャリア(またはセル)SCC#1と二つ目のサブダウンリンクコンポーネントキャリア(またはセル)SCC#2を得る。
【０１３７】
好適な実施例14
図17に示すように、FDDシステムにおいて、基地局が端末はPUCCH format 1bとチャネル選択を結合する方式を利用してACK/NACK応答メッセージのフィードバックを行うと配置した時、基地局が端末にDL PCCとSCC#1とSCC#2を配置し、またPCCはシングルコードワードストリーム伝送モードであり、SCC#1はシングルコードワードストリーム伝送モードであり、SCC#2はダブルコードワードストリーム伝送モードであると仮定すれば、端末はフィードバックする時、M=4であるマッピングテーブルを利用してACK/NACK応答メッセージのフィードバックを行い、PCCの一つ目のコードワードストリームの肯定／否定応答メッセージはHARQ-ACK(0)にマッピングされ、SCC#1の一つ目のコードワードストリームの肯定／否定応答メッセージはHARQ-ACK(1)にマッピングされ、SCC#2の一つ目のコードワードストリームの肯定／否定応答メッセージはHARQ-ACK(2)にマッピングされ、SCC#2の二つ目のコードワードストリームの肯定／否定応答メッセージはHARQ-ACK(3)にマッピングされる。
【０１３８】
ここで二つのサブダウンリンクコンポーネントキャリアはキャリアインデックスの順序に従って順序配列を行う、それによって一つ目のサブダウンリンクコンポーネントキャリア(またはセル)SCC#1と二つ目のサブダウンリンクコンポーネントキャリア(またはセル)SCC#2を得る。
【０１３９】
好適な実施例15
図18に示すように、FDDシステムにおいて、基地局が端末はPUCCH format 1bとチャネル選択を結合する方式を利用してACK/NACK応答メッセージのフィードバックを行うと配置した時、基地局が端末にDL PCCとSCCを配置し、またPCCとSCCは全部ダブルコードワードストリーム伝送モードであると仮定すれば、端末はフィードバックする時、M=4であるマッピングテーブルを利用してACK/NACK応答メッセージのフィードバックを行い、PCCの一つ目のコードワードストリームの肯定／否定応答メッセージはHARQ-ACK(0)にマッピングされ、PCCの二つ目のコードワードストリームの肯定／否定応答メッセージはHARQ-ACK(1)にマッピングされ、SCCの一つ目のコードワードストリームの肯定／否定応答メッセージはHARQ-ACK(2)にマッピングされ、SCCの二つ目のコードワードストリームの肯定／否定応答メッセージはHARQ-ACK(3)にマッピングされる。
【０１４０】
またはPCCの一つ目のコードワードストリームの肯定／否定応答メッセージはHARQ-ACK(0)にマッピングされ、SCCの一つ目のコードワードストリームの肯定／否定応答メッセージはHARQ-ACK(1)にマッピングされ、PCCの二つ目のコードワードストリームの肯定／否定応答メッセージはHARQ-ACK(2)にマッピングされ、SCCの二つ目のコードワードストリームの肯定／否定応答メッセージはHARQ-ACK(3)にマッピングされる。
【０１４１】
好適な実施例16
図19に示すように、TDDシステムにおいて、基地局が端末はPUCCH format 1bとチャネル選択を結合する方式を利用してACK/NACK応答メッセージのフィードバックを行うと配置した時、基地局が端末にDL PCCとSCCを配置し、またあるアップリンクサブフレームは一つのダウンリンクサブフレームにだけ対応されると仮定すれば、端末はフィードバックする時、M=2であるマッピングテーブルを利用してACK/NACK応答メッセージのフィードバックを行い、PCC一つ目のコードワードストリームの肯定／否定応答メッセージまたは一つ二つ目のコードワードストリームの肯定／否定応答メッセージを論理AND演算した後の結果はHARQ-ACK(0)にマッピングされ、SCC一つ目のコードワードストリームの肯定／否定応答メッセージまたは一つ二つ目のコードワードストリームの肯定／否定応答メッセージを論理AND演算した後の結果はHARQ-ACK(1)にマッピングされる。
【０１４２】
好適な実施例17
図20に示すように、TDDシステムにおいて、基地局が端末はPUCCH format 1bとチャネル選択を結合する方式を利用してACK/NACK応答メッセージのフィードバックを行うと配置した時、基地局が端末にDL PCCとSCC#1とSCC#2を配置した、またあるアップリンクサブフレームは一つのダウンリンクサブフレームにだけ対応されると仮定すれば、端末はフィードバックする時、M=3であるマッピングテーブルを利用してACK/NACK応答メッセージのフィードバックを行い、PCC一つ目のコードワードストリームの肯定／否定応答メッセージまたは一つ二つ目のコードワードストリームの肯定／否定応答メッセージを論理AND演算した後の結果はHARQ-ACK(0)にマッピングされ、SCC#1一つ目のコードワードストリームの肯定／否定応答メッセージまたは一つ二つ目のコードワードストリームの肯定／否定応答メッセージを論理AND演算した後の結果はHARQ-ACK(1)にマッピングされ、SCC#2一つ目のコードワードストリームの肯定／否定応答メッセージまたは一つ二つ目のコードワードストリームの肯定／否定応答メッセージを論理AND演算した後の結果はHARQ-ACK(2)にマッピングされる。
【０１４３】
ここで二つのサブダウンリンクコンポーネントキャリアはキャリアインデックスの順序に従って順序配列を行う、それによって一つ目のサブダウンリンクコンポーネントキャリア(またはセル)SCC#1と二つ目のサブダウンリンクコンポーネントキャリア(またはセル)SCC#2を得る。
【０１４４】
好適な実施例18
図21に示すように、TDDシステムにおいて、基地局が端末はPUCCH format 1bとチャネル選択を結合する方式を利用してACK/NACK応答メッセージのフィードバックを行うと配置した時、基地局が端末にDL PCCとSCC#1とSCC#2とSCC#3を配置し、またあるアップリンクサブフレームは一つのダウンリンクサブフレームにだけ対応されると仮定すれば、端末はフィードバックする時、M=4であるマッピングテーブルを利用してACK/NACK応答メッセージのフィードバックを行い、PCC一つ目のコードワードストリームの肯定／否定応答メッセージまたは一つ二つ目のコードワードストリームの肯定／否定応答メッセージを論理AND演算した後の結果はHARQ-ACK(0)にマッピングされ、SCC#1一つ目のコードワードストリームの肯定／否定応答メッセージまたは一つ二つ目のコードワードストリームの肯定／否定応答メッセージを論理AND演算した後の結果はHARQ-ACK(1)にマッピングされ、SCC#2一つ目のコードワードストリームの肯定／否定応答メッセージまたは一つ二つ目のコードワードストリームの肯定／否定応答メッセージを論理AND演算した後の結果はHARQ-ACK(2)にマッピングされ、SCC#3一つ目のコードワードストリームの肯定／否定応答メッセージまたは一つ二つ目のコードワードストリームの肯定／否定応答メッセージを論理AND演算した後の結果はHARQ-ACK(3)にマッピングされる；
【０１４５】
ここで三つのサブダウンリンクコンポーネントキャリアはキャリアインデックスの順序に従って順序配列を行う、それによって一つ目のサブダウンリンクコンポーネントキャリア(またはセル)SCC#1、二つ目のサブダウンリンクコンポーネントキャリア(またはセル)SCC#2と三つ目のサブダウンリンクコンポーネントキャリア(またはセル)SCC#3を得る。
【０１４６】
好適な実施例19
図22に示すように、TDDシステムにおいて、基地局の端末はPUCCH format 1bとチャネル選択を結合する方式を利用してACK/NACK応答メッセージのフィードバックを行うと配置した時、基地局が端末にDL PCCとSCCを配置し、またあるアップリンクサブフレームは一つのダウンリンクサブフレームにだけ対応されると仮定すれば、端末はフィードバックする時、M=4であるマッピングテーブルを利用してACK/NACK応答メッセージのフィードバックを行い、PCC一つ目のサブフレーム上の一つ目のコードワードストリームの肯定／否定応答メッセージまたは一つ二つ目のコードワードストリームの肯定／否定応答メッセージを論理AND演算した後の結果は一つ目のHARQ-ACK(0)にマッピングされ、SCC一つ目のサブフレーム上の一つ目のコードワードストリームの肯定／否定応答メッセージまたは一つ二つ目のコードワードストリームの肯定／否定応答メッセージを論理AND演算した後の結果は一つ目のARQ-ACK(1)にマッピングされ、PCC二つ目のサブフレーム上の一つ目のコードワードストリームの肯定／否定応答メッセージまたは一つ二つ目のコードワードストリームの肯定／否定応答メッセージを論理AND演算した後の結果は一つ目のHARQ-ACK(2)にマッピングされ、SCC二つ目のサブフレーム上の一つ目のコードワードストリームの肯定／否定応答メッセージまたは一つ二つ目のコードワードストリームの肯定／否定応答メッセージを論理AND演算した後の結果は一つ目のARQ-ACK(3)にマッピングされる。
【０１４７】
またはPCC一つ目のサブフレーム上の一つ目のコードワードストリームの肯定／否定応答メッセージまたは一つ二つ目のコードワードストリームの肯定／否定応答メッセージを論理AND演算した後の結果は一つ目のHARQ-ACK(0)にマッピングされ、PCC二つ目のサブフレーム上の一つ目のコードワードストリームの肯定／否定応答メッセージまたは一つ二つ目のコードワードストリームの肯定／否定応答メッセージを論理AND演算した後の結果は一つ目のARQ-ACK(1)にマッピングされ、SCC一つ目のサブフレーム上の一つ目のコードワードストリームの肯定／否定応答メッセージまたは一つ二つ目のコードワードストリームの肯定／否定応答メッセージを論理AND演算した後の結果は一つ目のHARQ-ACK(2)にマッピングされ、SCC二つ目のサブフレーム上の一つ目のコードワードストリームの肯定／否定応答メッセージまたは一つ二つ目のコードワードストリームの肯定／否定応答メッセージを論理AND演算した後の結果は一つ目のARQ-ACK(3)にマッピングされる。
【０１４８】
もう一つの実施例ではもう一種の端末を提供したが、該端末は前記実施例及び好適な実施方式を実現するように設置される。既に説明したものについては、ここでは重複して説明しないこととし、そして以下には、該端末のブロックについてのみ説明する。
【０１４９】
図23は本発明の実施例に係わるもう一つの端末のブロック図であり、図23に示すように、該端末はマッピングブロック232と送信ブロック234を含むものであり、以下、該ブロック構造について説明する。
【０１５０】
マッピングブロック232、ダウンリンクコンポーネントキャリアまたはセルの主/サブ、ダウンリンクコンポーネントキャリアまたはセルのコードワードストリームの順序、ダウンリンクコンポーネントキャリアまたはセルの含むコードワードストリームの数量のうち少なくとも一つに基づいてコードワードストリームと対応するACK/NACK応答メッセージをチャネル選択マッピングテーブルにマッピングするように設置され；送信ブロック234はマッピングブロック232に接続され、物理アップリンク制御チャネルフォーマットPUCCH format 1bでチャネル選択を利用してACK/NACK応答メッセージをするように設置される。
【０１５１】
総括的に,前記実施例によれば、関連技術中の基地局がUEのフィードバックしたACK/NACK応答メッセージに対して正しくない理解をする可能性があるため引き起こす問題を解決することができ、従ってACK/NACK応答メッセージを正しく処理することができる。
【０１５２】
当業者にとって、上述の本発明の各ブロックまたは各ステップは共通の計算装置によって実現することができ、単独の計算装置に集中させることができれば、複数の計算装置から構成されるネットワークに分布させることもでき、さらに計算装置が実行可能なプログラムのコードによって実現することもできるので、それらを記憶装置に記憶させて計算装置によって実行することができ、または夫々集積回路ブロックに製作し、またはそれらにおける複数のブロックまたはステップを単独の集積回路ブロックに製作して実現することができることは明らかなことである。このように、本発明は如何なる特定のハードウェアとソフトウェアの結合にも限定されない。
【０１５３】
以上は、本発明の好適な実施例に過ぎず、本発明を限定するものではない。当業者であれば本発明に様々な修正や変形が可能である。本発明の精神や原則内での如何なる修正、置換、改良なども本発明の保護範囲内に含まれる。
【図１】
0005873873.tif 000027
【図２】
0005873873.tif 000028
【図３】
0005873873.tif 000029
【図４】
0005873873.tif 000030
【図５】
0005873873.tif 000031
【図６】
0005873873.tif 000032
【図７】
0005873873.tif 000033
【図８】
0005873873.tif 000034
【図９】
0005873873.tif 000035
【図１０】
0005873873.tif 000036
【図１１】
0005873873.tif 000037
【図１２】
0005873873.tif 000038
【図１３】
0005873873.tif 000039
【図１４】
0005873873.tif 000040
【図１５】
0005873873.tif 000041
【図１６】
0005873873.tif 000042
【図１７】
0005873873.tif 000043
【図１８】
0005873873.tif 000044
【図１９】
0005873873.tif 000045
【図２０】
0005873873.tif 000046
【図２１】
0005873873.tif 000047
【図２２】
0005873873.tif 000048
【図２３】
0005873873.tif 000049